(57)【要約】【課題】  本発明は、短時間で、迅速に、扉パネルをパネル閉じ状態からパネル開き状態にできる折畳み式扉装置を提供する。【解決手段】  第１戸尻扉パネル１８及び第１戸先扉パネル２０を有する第１折り戸１２と、第２戸尻扉パネル３１及び第２戸先扉パネル３３を有する第２折り戸１３を備え、各折り戸１２，１３を開閉自在に扉支持枠体１０の内側に配置する。各折り戸１２，１３をパネル閉じ状態Ｐ１にロックし、及びロック解除して各扉パネル１８，２０，３１，３３を回転自在にする第１及び第２扉ロック手段４１，４２と、第１及び第２扉ロック手段４１，４２のロック解除に伴って、第１及び第２戸先扉パネル２０，３３を回転する方向に押して、各折り戸１２，１３を閉じ状態Ｐ１から半開き状態にする第１及び第２扉オープナー手段８１，８２を備える。【選択図】  図２
2018204323.tif 000002
【特許請求の範囲】
【請求項１】
上横枠材及び左右一対の縦枠材を有し、前記上横枠材及び前記各縦枠材とで出入口を形成する扉支持枠体と、
前記上横枠材に設置され、前記上横枠材に沿って延在する案内部材と、
前記扉支持枠体の内側に配置され、一方の側端部を前記扉支持枠体の一方の縦枠材に回転自在に連結して配置される第１戸尻扉パネルと、
前記第１戸尻扉パネル及び前記扉支持枠体の他方の縦枠材の間に位置して、一方の側端部を前記第１戸尻扉パネルの他方の側端部に回転自在に連結して配置され、前記案内部材により案内される第１被案内部材を有する第１戸先扉パネルと、
前記第１戸先扉パネル及び前記扉支持枠体の他方の縦枠材の間に位置して、一方の側端部を前記扉支持枠体の他方の縦枠材に回転自在に連結して配置される第２戸尻扉パネルと、
前記第１戸先扉パネル及び前記第２戸尻扉パネルの間に位置して、一方の側端部を前記第２戸尻扉パネルの他方の側端部に回転自在に連結して配置され、前記案内部材により案内される第２被案内部材を有する第２戸先扉パネルと、を備え、前記各扉パネルは、パネル閉じ状態において、前記各縦枠材の間に直線状に並列されて、前記出入口を閉塞する折畳み式扉装置であって、
前記第１戸尻扉パネル及び前記第１戸先扉パネルをパネル閉じ状態にロックし、及びロック解除して前記第１戸尻扉パネル及び前記第１戸先扉パネルを回転自在にする第１扉ロック手段と、
前記第２戸尻扉パネル及び前記第２戸先扉パネルをパネル閉じ状態にロックし、及びロック解除して前記第２戸尻扉パネル及び前記第２戸先扉パネルを回転自在にする第２扉ロック手段と、
前記第１戸尻扉パネルに設置され、前記第１扉ロック手段のロック解除に伴って、前記第１戸先扉パネルを回転する方向に押して、前記第１戸尻扉パネル及び前記第１戸先扉パネルをパネル閉じ状態から半開き状態にする第１扉オープナー手段と、
前記第２戸尻扉パネルに設置され、前記第２扉ロック手段のロック解除に伴って、前記第２戸先扉パネルを回転する方向に押して、前記第２戸尻扉パネル及び前記第２戸先扉パネルをパネル閉じ状態から半開き状態にする第２扉オープナー手段と、
を備える
ことを特徴とする折畳み式扉装置。
【請求項２】
前記上横枠材に設置され、前記各縦枠材の間にて循環される環状部材を有する循環手段と、
前記第１戸先扉パネル及び前記環状部材を連結する第１連結手段と、
前記第２戸先扉パネル及び前記環状部材を連結する第２連結手段と、
を備え、
前記循環手段は、
前記案内部材に平行する上下の循環経路を経て、前記環状部材を循環し、
前記第１連結手段は、
一方の循環経路にて、前記環状部材に固定され、及び前記第１被案内部材に取付けられ、
前記第２連結手段は、
他方の循環経路にて、前記環状部材に固定され、及び前記第２被案内部材に取付けられる
ことを特徴とする請求項１に記載の折畳み式扉装置。
【請求項３】
前記第１扉オープナー手段は、
前記第１戸尻扉パネルの表平面に平行配置され、及び前記戸尻扉パネルに固定される第１回転支持部材と、
前記パネル閉じ状態において、前記第１戸先扉パネルの表平面に平行配置され、及び前記第１戸先扉パネルの表平面に当接される第１押付け部材と、
前記パネル閉じ状態において、圧縮されて、前記第１戸尻扉パネルの表平面及び前記第１戸先扉パネルの表平面に平行配置される第１コイルバネと、
前記第１戸尻扉パネル及び前記第１コイルバネの間に配置され、前記各扉パネルの回転中心線と同一方向に延在され、及び前記第１押付け部材を前記第１回転支持部材に回転自在に支持する第１回転軸部材と、を有し、
前記第１コイルバネは、
前記第１回転支持部材及び前記第１押付け部材の間にわたって配置され、
一方のバネ端部を前記第１回転支持部材に連結し、及び他方のバネ端部を前記第１押付け部材に連結し、
前記第２扉オープナー手段は、
前記第２戸尻扉パネルの表平面に平行配置され、及び前記第２戸尻扉パネルに固定される第２回転支持部材と、
前記パネル閉じ状態において、前記第２戸先扉パネルの表平面に平行配置され、及び前記第２戸先扉パネルの表平面に当接される第２押付け部材と、
前記パネル閉じ状態において、圧縮されて、前記第２戸尻扉パネルの表平面及び前記第２戸先扉パネルの表平面に平行配置される第２コイルバネと、
前記第２戸尻扉パネル及び前記第２コイルバネの間に配置され、前記各扉パネルの回転中心線と同一方向に延在され、及び前記第２押付け部材を前記第２回転支持部材に回転自在に支持する第２回転軸部材と、を有し、
前記第２コイルバネは、
前記第２回転支持部材及び前記第２押付け部材の間にわたって配置され、
一方のバネ端部を前記第２回転支持部材に連結し、及び他方のバネ端部を前記第２押付け部材に連結する
ことを特徴とする請求項１又は請求項２に記載の折畳み式扉装置。
【請求項４】
上横枠材及び左右一対の縦枠材を有し、前記上横枠材及び前記各縦枠材とで出入口を形成する扉支持枠体と、
前記上横枠材に設置され、前記上横枠材に沿って延在する案内部材と、
前記扉支持枠体の内側に配置され、一方の側端部を前記扉支持枠体の一方の縦枠材に回転自在に連結して配置される戸尻扉パネルと、
前記戸尻扉パネル及び前記扉支持枠体の他方の縦枠材の間に位置して、一方の側端部を前記戸尻扉パネルの他方の側端部に回転自在に連結して配置され、前記案内部材により案内される被案内部材を有する戸先扉パネルと、を備え、前記各扉パネルは、パネル閉じ状態において、前記各縦枠材の間に直線状に並列されて、前記出入口を閉塞する折畳み式扉装置であって、
前記各扉パネルを前記パネル閉じ状態にロックし、及びロック解除して前記各扉パネルを回転自在にする扉ロック手段と、
前記戸尻扉パネルに設置され、前記扉ロック手段のロック解除に伴って、前記戸先扉パネルを回転する方向に押して、前記戸尻扉パネル及び前記戸先扉パネルをパネル閉じ状態から半開き状態にする扉オープナー手段と、
を備える
ことを特徴とする折畳み式扉装置。
【請求項５】
前記扉オープナー手段は、
前記戸尻扉パネルの表平面に平行配置され、及び前記戸尻扉パネルに固定される回転支持部材と、
前記パネル閉じ状態において、前記戸先扉パネルの表平面に平行配置され、及び前記戸先扉パネルの表平面に当接される押付け部材と、
前記パネル閉じ状態において、圧縮されて、前記戸尻扉パネルの表平面及び前記戸先扉パネルの表平面に平行配置されるコイルバネと、
前記戸尻扉パネル及び前記コイルバネの間に配置され、前記各扉パネルの回転中心線と同一方向に延在され、及び前記押付け部材を前記回転支持部材に回転自在に支持する回転軸部材と、を有し、
前記コイルバネは、
前記回転支持部材及び前記押付け部材の間にわたって配置され、
一方のバネ端部を前記回転支持部材に連結し、及び他方のバネ端部を前記押付け部材に連結する
ことを特徴とする請求項４に記載の折畳み式扉装置。
【発明の詳細な説明】
【技術分野】
【０００１】
本発明は、折り戸を閉じ状態にロックする機能を有し、ロック解除して折り戸を開く折畳み式扉装置に関する。
【背景技術】
【０００２】
一般的に、観覧車は、環状枠体、及び複数の乗籠（ゴンドラ）を備え、環状枠体は水平回転軸にて回転される。各乗籠（ゴンドラ）は、環状枠体に設置される。観覧車において、各乗籠（ゴンドラ）は、環状枠体の回転によりプラットホームに移送され、乗籠（ゴンドラ）の折畳み式扉を開くことにより、乗降を可能とする。
折畳み式扉装置の技術として、特許文献１は、観覧車の乗籠（ゴンドラ）の折畳み式扉（折り戸）を開示する。折畳み式扉は、複数の扉パネルを有し、各扉パネルを開き状態にして、乗籠の乗降口（出入口）を開口して、乗籠への乗降を可能とする。一般的に、乗籠の折畳み式扉は、各扉パネルを閉じ状態にロック（固定）する扉ロック装置を有する。扉ロック装置は、乗籠（ゴンドラ）の外側に設置され、乗降以外において、乗籠の外側から各扉パネルを閉じ状態にロック（固定）する。扉ロック装置は、乗降以外において、各扉パネルの開きを防止して安全性を確保する。
観覧車において、乗籠をプラットホームに移送すると、扉ロック装置のロックを解除し、更に、折畳み式扉を引くことで開いて、乗降口（出入口）を開口（開放）する。
【先行技術文献】
【特許文献】
【０００３】
【特許文献１】特開２００８−０７９９２４号公報
【発明の概要】
【発明が解決しようとする課題】
【０００４】
観覧車において、各乗籠（ゴンドラ）は、常時、移動しており、乗降に際して、手際良く、扉ロック装置のロックを解除して、折畳み式扉を引いて開き状態にする必要がある。
しかしながら、折畳み式扉を開く、初期段階では、強く引く必要があり、各扉パネルを開くのに時間を要する。
【０００５】
本発明は、短時間で、迅速に、各扉パネルをパネル閉じ状態からパネル開き状態にできる折畳み式扉装置を提供することにある。
【課題を解決するための手段】
【０００６】
発明に係る請求項１は、上横枠材及び左右一対の縦枠材を有し、前記上横枠材及び前記各縦枠材とで出入口を形成する扉支持枠体と、前記上横枠材に設置され、前記上横枠材に沿って延在される案内部材と、前記扉支持枠体の内側に配置され、一方の側端部を前記扉支持枠体の一方の縦枠材に回転自在に連結して配置される第１戸尻扉パネルと、前記第１戸尻扉パネル及び前記扉支持枠体の他方の縦枠材の間に位置して、一方の側端部を前記第１戸尻扉パネルの他方の側端部に回転自在に連結して配置され、前記案内部材により案内される第１被案内部材を有する第１戸先扉パネルと、前記第１戸先扉パネル及び前記扉支持枠体の他方の縦枠材の間に位置して、一方の側端部を前記扉支持枠体の他方の縦枠材に回転自在に連結して配置される第２戸尻扉パネルと、前記第１戸先扉パネル及び前記第２戸尻扉パネルの間に位置して、一方の側端部を前記第２戸尻扉パネルの他方の側端部に回転自在に連結して配置され、前記案内部材により案内される第２被案内部材を有する第２戸先扉パネルと、を備え、前記各扉パネルは、パネル閉じ状態において、前記各縦枠材の間に直線状に並列されて、前記出入口を閉塞する折畳み式扉装置であって、前記第１戸尻扉パネル及び前記第１戸先扉パネルをパネル閉じ状態にロックし、及びロック解除して前記第１戸尻扉パネル及び前記第１戸先扉パネルを回転自在にする第１扉ロック手段と、前記第２戸尻扉パネル及び前記第２戸先扉パネルをパネル閉じ状態にロックし、及びロック解除して前記第２戸尻扉パネル及び前記第２戸先扉パネルを回転自在にする第２扉ロック手段と、前記第１戸尻扉パネルに設置され、前記第１扉ロック手段のロック解除に伴って、前記第１戸先扉パネルを回転する方向に押して、前記第１戸尻扉パネル及び前記第１戸先扉パネルをパネル閉じ状態から半開き状態にする第１扉オープナー手段と、前記第２戸尻扉パネルに設置され、前記第２扉ロック手段のロック解除に伴って、前記第２戸先扉パネルを回転する方向に押して、前記第２戸尻扉パネル及び前記第２戸先扉パネルをパネル閉じ状態から半開き状態にする第２扉オープナー手段と、を備えることを特徴とする折畳み式扉装置である。
【０００７】
本発明に係る請求項２は、前記上横枠材に設置され、前記各縦枠材の間にて循環される環状部材を有する循環手段と、前記第１戸先扉パネル及び前記環状部材を連結する第１連結手段と、前記第２戸先扉パネル及び前記環状部材を連結する第２連結手段と、を備え、前記循環手段は、前記案内部材に平行する上下の循環経路を経て、前記環状部材を循環し、前記第１連結手段は、一方の循環経路にて、前記環状部材に固定され、及び第１被案内部材に取付けられ、前記第２連結手段は、他方の循環経路にて、前記環状部材に固定され、及び前記第２被案内部材に取付けられることを特徴とする請求項１に記載の折畳み式扉装置である。
【０００８】
本発明に係る請求項３は、前記第１扉オープナー手段は、前記パネル閉じ状態において、前記第１戸尻扉パネルの表平面に平行配置され、及び前記第１戸尻扉パネルに固定される第１回転支持部材と、前記パネル閉じ状態において、前記第１戸先扉パネルの表平面に平行配置され、及び前記第１戸先扉パネルの表平面に当接される第１押付け部材と、前記パネル閉じ状態において、圧縮されて、前記第１戸尻扉パネルの表平面及び前記第１戸先扉パネルの表平面に平行配置される第１コイルバネと、前記戸尻扉パネル及び前記第１コイルバネの間に配置され、前記各扉パネルの回転中心線と同一方向に延在され、及び前記１押付け部材を前記第１回転支持部材に回転自在に支持する第１回転軸部材と、を有し、前記第１コイルバネは、前記第１回転支持部材及び前記第１押付け部材の間にわたって配置され、一方のバネ端部を前記第１回転支持部材に連結し、及び他方のバネ端部を前記第１押付け部材に連結し、前記第２扉オープナー手段は、前記パネル閉じ状態において、前記第２戸尻扉パネルの表平面に平行配置され、及び前記第２戸尻扉パネルに固定される第２回転支持部材と、前記パネル閉じ状態において、前記第２戸先扉パネルの表平面に平行配置され、及び前記第２戸先扉パネルの表平面に当接される第２押付け部材と、前記パネル閉じ状態において、圧縮されて、前記第２戸尻扉パネルの表平面及び前記第２戸先扉パネルの表平面に平行配置される第２コイルバネと、前記第２戸尻扉パネル及び前記第２コイルバネの間に配置され、前記各パネルの回転中心線と同一方向に延在され、及び前記第２押付け部材を前記第２回転支持部材に回転自在に支持する第２回転軸部材と、を有し、前記第２コイルバネは、前記第２回転支持部材及び前記第２押付け部材の間にわたって配置され、一方のバネ軸端を前記第２回転支持部材に連結し、及び他方のバネ端部を前記第２押付け部材に連結することを特徴とする請求項１又は請求項２に記載の折畳み式扉装置である。
【０００９】
本発明に係る請求項４は、上横枠材及び左右一対の縦枠材を有し、前記上横枠材及び前記各縦枠材とで出入口を形成する扉支持枠体と、前記上横枠材に設置され、前記上横枠材に沿って延在する案内部材と、前記扉支持枠体の内側に配置され、一方の側端部を前記扉支持枠体の一方の縦枠材に回転自在に連結して配置される戸尻扉パネルと、前記戸尻扉パネル及び前記扉支持枠体の他方の縦枠材の間に位置して、一方の側端部を前記戸尻扉パネルの他方の側端部に回転自在に連結して配置され、前記案内部材により案内される被案内部材を有する戸先扉パネルと、を備え、前記各扉パネルは、パネル閉じ状態において、前記各縦枠材の間に直線状に並列されて、前記出入口を閉塞する折畳み式扉装置であって、前記各扉パネルをパネル閉じ状態にロックし、及びロック解除して前記各扉パネルを回転自在にする扉ロック手段と、前記戸尻扉パネルに設置され、前記扉ロック手段のロック解除に伴って、前記戸先扉パネルを回転する方向に押して、前記戸尻扉パネル及び前記戸先扉パネルをパネル閉じ状態から半開き状態にする扉オープナー手段と、を備えることを特徴とする折畳み式扉装置である。
【００１０】
本発明に係る請求項５は、前記扉オープナー手段は、前記パネル閉じ状態において、前記戸尻扉パネルの表平面に平行配置され、及び前記戸先扉パネルに固定される回転支持部材と、前記パネル閉じ状態において、前記戸先扉パネルの表平面に平行配置され、及び前記戸先扉パネルの表平面に当接される押付け部材と、前記パネル閉じ状態において、圧縮されて、前記戸尻扉パネルの表平面及び前記戸先扉パネルの表平面に平行配置されるコイルバネと、前記戸尻扉パネル及び前記コイルバネの間に配置され、前記各扉パネルの回転中心線と同一方向に延在され、及び前記押付け部材を前記回転支持部材に回転自在に支持する回転軸部材と、を有し、前記コイルバネは、前記回転支持部材及び前記押付け部材の間にわたって配置され、一方のバネ端部を前記回転支持部材に連結し、及び他方のバネ端部を前記押付け部材に連結することを特徴とする請求項４に記載の折畳み式扉装置である。
【発明の効果】
【００１１】
本発明に係る請求項１によれば、第１扉オープナー手段は、第１扉ロック手段のロック解除に伴って、第１戸先扉パネルを回転する方向に押して、第１戸尻扉パネル及び第１戸先扉パネルをパネル閉じ状態から半開き状態にする。また、第２扉オープナー手段は、第２扉ロック手段のロック解除に伴って、第２戸先扉パネルを回転する方向に押して、第２戸尻扉パネル及び第２戸先扉パネルをパネル閉じ状態から半開き状態にする。
これにより、各扉パネルを短時間で、迅速に、パネル閉じ状態からパネル開き状態（パネル全開き状態）にできる。
【００１２】
本発明に係る請求項２によれば、第１戸先扉パネル（第１被案内部材）は、第１連結手段にて一方の循環経路に位置する環状部材に連結され、及び第２戸先扉パネル（第２被案内部材）は、第２連結手段にて他方の循環経路に位置する環状部材に連結されているので、一方の戸先扉パネルの移動に同期して、他方の戸先扉パネルを移動できる。
【００１３】
本発明に係る請求項３によれば、第１扉オープナー手段は、第１扉ロック手段のロック解除に伴って、第１コイルバネのバネ力にて第１押付け部材を第１回転支持部材に対して回転する。第１押え部材は、第１コイルバネのバネ力により第１戸先扉パネルに向けて回転しつつ、第１戸先扉パネルを回転する方向に押す。これにより、第１戸尻扉パネル及び第１戸先扉パネルは、第１扉オープナー手段（第１コイルバネのバネ力）により、回転及び移動されて、パネル閉じ状態から半開き状態にされる。
第２扉オープナー手段は、第２扉ロック手段のロック解除に伴って、第２コイルバネのバネ力にて第２押付け部材を第２回転支持部材に対して回転する。第２押え部材は、第２コイルバネのバネ力により第２戸先扉パネルに向けて回転しつつ、第２戸先扉パネルを回転する方向に押す。これにより、第２戸尻扉パネル及び第２戸先扉パネルは、第２扉オープナー手段（第２コイルバネのバネ力）により、回転及び移動されて、パネル閉じ状態から半開き状態される。
【００１４】
本発明に係る請求項４によれば、扉オープナー手段は、扉ロック手段のロック解除に伴って、戸先扉パネルを回転する方向に押して、戸尻扉パネル及び戸先扉パネルをパネル閉じ状態から半開き状態にする。
これにより、各扉パネルを短時間で、迅速に、パネル閉じ状態からパネル開き状態（パネル全開き状態）にできる。
【００１５】
本発明に係る請求項５によれば、扉オープナー手段は、扉ロック手段のロック解除に伴って、コイルバネのバネ力にて押付け部材を回転支持部材に対して回転する。押え部材は、コイルバネのバネ力により戸先扉パネルに向けて回転しつつ、戸先扉パネルを回転する方向に押す。これにより、戸尻扉パネル及び戸先扉パネルは、扉オープナー手段（コイルバネのバネ力）により、回転及び移動されて、パネル閉じ状態から半開き状態にされる。
【図面の簡単な説明】
【００１６】
【図１】観覧車の乗籠、及び第１実施形態の折畳み式扉装置を示す正面図である。
【図２】図１の部分拡大図であって、第１実施形態の折畳み式扉装置を示す正面図である。
【図３】図２の部分拡大図であって、第１実施形態の折畳み式扉装置を示す正面図である。
【図４】図３において、第１実施形態の折畳み式扉装置を示す上面図である。
【図５】図２のＡ−Ａ矢印図であって、第１実施形態の折畳み式扉装置の第１扉ロック手段を示す図である。
【図６】図２の部分拡大図であって、第１実施形態の折畳み式扉装置の第１扉ロック手段を示す正面図である。
【図７】図５のＧ−Ｇ拡大図であって、第１実施形態の折畳み式扉装置の第１扉ロック手段を示す図である。
【図８】図５のＨ−Ｈ拡大図であって、第１実施形態の折畳み式扉装置の第１扉ロック手段を示す図である。
【図９】図５のＦ−Ｆ拡大図であって、第１実施形態の折畳み式扉装置の第１扉ロック手段を示す図である。
【図１０】図２のＢ−Ｂ矢視図であって、第１実施形態の折畳み式扉装置の第２扉ロック手段を示す図である。
【図１１】図２の部分拡大図であって、第１実施形態の折畳み式扉装置の第２扉ロック手段を示す図である。
【図１２】図１０のＪ−Ｊ拡大図であって、第１実施形態の折畳み式扉装置の第２扉ロック手段を示す図である。
【図１３】図１０のＫ−Ｋ拡大図であって、第１実施形態の折畳み式扉装置の第２扉ロック手段を示す図である。
【図１４】図１０のＩ−Ｉ拡大図であって、第１実施形態の折畳み式扉装置の第２扉ロック手段を示す図である。
【図１５】図２の部分拡大図であって、第１実施形態の折畳み式扉装置の第３扉ロック手段（補助扉ロック手段）を示す図である。
【図１６】図１５のＬ−Ｌ矢視図である。
【図１７】第１実施形態の折畳み式扉装置の第１及び第２扉オープー手段を示す図であって、（ａ）は、正面図、（ｂ）は、左側面図、（ｃ）は、右側面図である。
【図１８】第１実施形態の折畳み式扉装置の第１及び第２扉オープナー手段を示す図であって、（ａ）は、図１７（ａ）のＭ−Ｍ断面正面図、（ｂ）は、図１７（ｃ）のＮ−Ｎ断面上面図である。
【図１９】図３の部分拡大図であって、第１扉オープナー手段を示す断面正面図である。
【図２０】図３の部分拡大図であって、第２扉オープナー手段を示す断面正面図である。
【図２１】図４の部分拡大図であって、第１扉オープナー手段を示す断面上面図である。
【図２２】図４の部分拡大図であって、第２扉オープナー手段を示す断面上面図である。
【図２３】図３のＣ−Ｃ矢視拡大図である。
【図２４】図３の拡大右側面図である。
【図２５】図３の部分拡大図であって、第１及び第２被案内部材、第１及び第２連結手段を示す正面図である。
【図２６】図４の部分拡大図であって、第１及び第２被案内部材、第１及び第２連結手段を示す図である。
【図２７】図３のＤ−Ｄ矢視拡大図である。
【図２８】図３のＥ−Ｅ矢視拡大図である。
【図２９】第１実施形態の折畳み式扉装置において、第１及び第２折り戸を半開き状態にした部分拡大正面図である。
【図３０】第１実施形態の折畳み式扉装置において、第１及び第２折り戸を半開き状態にした拡大上面図である。
【図３１】（ａ）は、図３０の部分拡大図であって、第１扉オープナー手段を示す図、（ｂ）は、図３０の部分拡大図であって、第２扉オープナー手段を示す図である。
【図３２】第１実施形態の折畳み式扉装置において、第２折り戸を半開き状態にした部分右側拡大図である。
【図３３】第１実施形態の折畳み方式扉装置において、第１及び第２折り戸をパネル開き状態（パネル全開き状態）にした部分拡大正面図である。
【図３４】第１実施形態の折畳み式扉装置において、第１及び第２折り戸をパネル開き状態（パネル全開き状態）にした拡大上面図である。
【図３５】第１実施形態の折畳み方式扉装置において、第２折り戸をパネル開き状態（パネル全開き状態）にした部分右側拡大図である。
【図３６】第２実施形態の折畳み式扉装置を示す正面図である。
【図３７】図３６の部分拡大図であって、第２実施形態の折畳み式扉装置を示す正面図である。
【図３８】図３７において、第２実施形態の折畳み式扉装置を示す上面図である。
【図３９】図３６のＯ−Ｏ矢視図であって、第２実施形態の折畳み式扉装置の扉ロック手段（第１扉ロック手段）を示す右側面図である。
【図４０】図３９のＰ−Ｐ矢視図である。
【図４１】図３６の部分拡大図であって、補助扉ロック手段（第３扉ロック手段）を示す図である。
【図４２】図４１のＱ−Ｑ矢視図である。
【図４３】第２実施形態の折畳み式扉装置において、折り戸を半開き状態にした部分拡大正面図である。
【図４４】第２実施形態の折畳み式扉装置において、折り戸を半開き状態にした拡大上面図である。
【図４５】第２実施形態の折畳み式扉装置において、折り戸をパネル開き状態（パネル全開き状態）にした部分拡大正面図である。
【図４６】第２実施形態の折畳み式扉装置において、折り戸をパネル開き状態（パネル全開き状態）にした拡大上面図である。
【発明を実施するための形態】
【００１７】
本発明に係る第１及び第２実施形態の折畳み式扉装置について、図１乃至図４６を参照して説明する。
なお、第１及び第２実施形態の折畳み式扉装置を、観覧車の乗籠（ゴンドラ）に適用した例について説明する。
【００１８】
＜第１実施形態＞
以下、第１実施形態の折畳み式扉装置について、図１乃至図３５を参照して説明する。
【００１９】
＜観覧車Ｘ、乗籠Ｙ（ゴンドラ）＞
図１において、観覧車Ｘは、環状枠体（図示しない）、及び複数の乗籠Ｙ（ゴンドラ）を備える。観覧車Ｘの環状枠体は、水平回転軸（図示しない）に支持され、水平回転軸を中心に回転される。各乗籠Ｙ（ゴンドラ）は、環状枠体に設置される。
乗籠Ｙは、図１に示すように、ゴンドラ本体１及び折畳み式扉装置Ｚを備えて構成される。
【００２０】
ゴンドラ本体１は、図１に示すように、乗客が乗る乗客室２（内側／内側空間）、及び踏み板３（床板／床）を有して構成される。踏み板３は、ゴンドラ本体１（乗籠Ｙ）の外側に設置される。踏み板３は、乗客室２（内側空間）の床４に連続し、ゴンドラ本体１に固定される。
【００２１】
＜折畳み式扉装置Ｚ＞
第１実施形態の折畳み式扉装置Ｚ（以下、「折畳み式扉装置Ｚ」という）は、図１に示すように、乗籠Ｙ（ゴンドラ本体１）に設置される。折畳み式扉装置Ｚは、外側空間（ゴンドラ本体１の外側）、及び内側空間（乗客室２内）の間に配置され、開閉されて、外側空間及び内側空間を遮断又は連通する。
折畳み式扉装置Ｚは、図１乃至図２８に示すように、扉支持枠体１０、案内部材１１、及び複数の折り戸１２，１３（第１及び第２折り戸）を備える。
【００２２】
＜扉支持枠体１０＞
扉支持枠体１０は、図１乃至図４に示すように、ゴンドラ本体１に設置される。扉支持枠体１０は、上下方向ＵＤにおいて、踏み板３の上方に配置される。
扉支持枠体１０は、上横枠材１４、及び左右一対の縦枠材１５，１６を有する。上横枠材１４は、上下方向ＵＤの上方に配置され、ゴンドラ本体１に固定される。上横枠材１４は、乗客室２の床４（踏み板３）に平行配置される。上横枠材１４は、左右方向ＬＲに延在される。
なお、左右方向ＬＲは、上下方向ＵＤと直交する方向である。
【００２３】
各縦枠材１５，１６（左縦枠材１５，右縦枠材１６）は、図１乃至図４に示すように、左右方向ＬＲにおいて、相互に間隔を隔てて平行配置される。各縦枠材１５，１６は、左右方向ＬＲにおいて、上横枠材１４の各枠端に配置され、ゴンドラ本体１及び上横枠材１４に固定される。
各縦枠材１５，１６は、上下方向ＵＤにおいて、上横枠材１４に直交して延在される。各縦枠材１５，１６は、上下方向ＵＤにおいて、上横枠材１４及び踏み板３（乗客室２の床４）の間に延在して配置される。
【００２４】
扉支持枠体１０は、図１乃至図４に示すように、例えば、上横枠材１４及び各縦枠材１５，１６とで矩形（長方形）に形成される。扉支持枠体１０は、上横枠材１４及び各縦枠材１５，１６とで出入口１７（乗降口）を形成する。出入口１７は、例えば、矩形（長方形）に形成される。出入口１７は、ゴンドラ本体１の乗客室２（内側）及びゴンドラ本体１の外側に開口して、ゴンドラ本体１の内側（内部空間）及び外側（外部空間）を連通する。
扉支持枠体１０は、図４、図９、図１４、図２３及び図２４に示すように、パネル保持部材１０Ａを有する。パネル保持部材１０Ａは、扉支持枠体１０の内側（出入口１７）に配置される。パネル保持部材１０Ａは、前後方向ＦＲにおいて、上横枠材１４の後端側及び各縦枠材１５，１６の後端側に位置して、上横枠材１４及び各縦枠材１５，１６に固定される。パネル保持部材１０Ａは、例えば、ゴムパッキンを有し、上下方向ＵＤにおいて、上横枠材１４から扉支持枠体１０の内側（出入口１７）に突出される。パネル保持部材１０Ａは、左右方向ＬＲにおいて、各縦枠材１５，１６から扉支持枠体１０の内側（出入口１７）に突出される。パネル保持部材１０Ａは、左右方向ＬＲにおいて、上横枠材１４に沿って各縦枠材１５，１６の間に延在され、及び上下方向ＵＤにおいて、各縦枠材１５，１６に沿って延在される。
また、踏み板３（床板／床）は、図１、図２、図５及び図８に示すように、上下方向ＵＤにおいて、扉支持枠体１０の下方に位置して、上横枠材１４に平行配置される。踏み板３は、出入口７（乗降口）に連続して配置され、前後方向ＦＲにおいて、ゴンドラ本体１の前方に突出して配置される。
【００２５】
＜案内部材１１＞
案内部材１１は、図１乃至図４、図２３、図２４、及び図２６乃至図２８に示すように、案内レールであって、上横枠材１４に設置される。案内部材１１は、前後方向ＦＲにおいて、上横枠材１４の前方に配置される。案内部材１１は、上横枠材１４に固定される。
案内部材１１は、左右方向ＬＲにおいて、各縦枠材１５，１６の間に延在される。案内部材１１は、左右方向ＬＲにおいて、上横枠材１４に沿って延在される。
案内部材１１は、図２３、図２４、図２７及び図２８に示すように、案内枠材１１Ａを有し、案内枠材１１Ａ及び上横枠材１４とで構成される。案内枠材１１Ａは、前後方向ＦＲにおいて、上横枠材１４の前方に位置して、上横枠材１４に間隔を隔てて平行配置される。案内枠材１１Ａは、左右方向ＬＲにおいて、扉支持枠体１０の各縦枠材１５，１６の間に延在される。
案内部材１１において、案内枠材１１Ａ及び上横枠材１４は、案内溝１１Ｂを形成する。案内溝１１Ｂは、上下方向ＵＤの下方に開口し、及び左右方向ＬＲに延在する。
なお、前後方向ＦＲは、上下方向ＵＤ及び左右方向ＬＲと直交する方向である。
【００２６】
＜第１折り戸１２＞
第１折り戸１２は、図１乃至図４に示すように、扉支持枠体１０の内側（出入口１７）に配置される。
第１折り戸１２は、第１戸尻扉パネル１８、複数の第１回転用ヒンジ１９（蝶番）、第１戸先扉パネル２０、及び複数の折畳み用ヒンジ２１（蝶番）を備える。
【００２７】
＜第１戸尻扉パネル１８＞
第１戸尻扉パネル１８は、図１乃至図４に示すように、例えば、長方形パネル（矩形パネル）に形成され、扉支持枠体１０の内側（出入口１７）に配置される。第１戸尻扉パネル１８は、上下方向ＵＲにおいて、上横枠材１４及び踏み板３（乗客室２の床４）の間にわたって延在される。第１戸尻扉パネル１８は、上下方向ＵＤにおいて、踏み板３（乗客室２の床４）に間隔（隙間）を隔てて配置される。
第１戸尻扉パネル１８は、図４及び図９に示すように、前後方向ＦＲにおいて、パネル保持部材１０Ａの前方（パネル保持部材１０Ａより外側）に位置して配置される。
第１戸尻扉パネル１８は、左右方向ＬＲにおいて、一方の側端部１８Ａ（左側端部／一方の戸尻側端部）を扉支持枠体１０の一方の縦枠材１５（左縦枠材）に隣接して配置される。
第１戸尻扉パネル１８は、左右方向ＬＲにおいて、一方の側端部１８Ａを扉支持枠体１０の一方の縦枠材１５（左縦枠材）に回転自在に連結して配置される。
【００２８】
＜第１回転用ヒンジ１９＞
各第１回転用ヒンジ１９（蝶番）は、図１乃至図４に示すように、例えば、平蝶番であって、一対の羽根板２２，２３、及び芯軸部材２４を有する。各羽根板２２，２３は、複数の軸筒２５を有する。芯軸部材２４は、各羽根板２２，２３の軸筒２５を貫通して配置される。各羽根板２２，２３は、芯軸部材２４を中心として回転自在にされる。
各第１回転用ヒンジ１９は、図１及び図２に示すように、上下方向ＵＤにおいて、相互に間隔を隔てて並設される。各第１回転用ヒンジ１９は、図１乃至図４、図１４及び図２３に示すように、芯軸部材２４の回転中心線ａを上下方ＵＤに向けて配置される。各第１回転用ヒンジ１９は、ゴンドラ本体１（乗籠Ｙ）の外側に配置される。各第１回転用ヒンジ１９は、一方の羽根板２２（左側羽根板）を扉支持枠体１０の一方の縦枠材１５（左縦枠材）の表平面１５Ａに当接し、及び他方の羽根板２３（右側羽根板）を第１戸尻扉パネル１８の表平面１８Ｘに当接して配置される。
各第１回転用ヒンジ１９は、一方の羽根板２２（左側羽根板）を扉支持枠体１０の一方の縦枠材１５（左縦枠材）に固定し、及び他方の羽根板２３を第１戸尻扉パネル１８の一方の側端部１８Ａ（左側端部）に固定して、縦枠材１５及び第１戸尻扉パネル１８に設置される。
これにより、各第１回転用ヒンジ１９は、第１戸尻扉パネル１８の一方の側端部１８Ａを、扉支持枠体１０の一方の縦枠材１５に回転自在に連結（支持）する。
各第１回転用ヒンジ１９において、芯軸部材２４の回転中心線ａは、第１戸尻扉パネル１８の回転中心線となる。
第１戸尻扉パネル１８は、各第１回転用ヒンジ１９の芯軸部材２４（回転中心線ａ）を中心として回転自在（旋回自在）にされる。
【００２９】
＜第１戸先扉パネル２０＞
第１戸先扉パネル２０は、図１乃至図４に示すように、例えば、長方形パネル（矩形パネル）に形成され、扉支持枠体１０の内側（出入口１７）に配置される。第１戸先扉パネル２０は、左右方向ＬＲにおいて、第１戸尻扉パネル１８及び扉支持枠体１０の他方の縦枠材１６（右縦枠材）の間に位置して配置される。
第１戸先扉パネル２０は、上下方向ＵＤにおいて、上横枠材１４及び踏み板３（乗客室２の床４）の間にわたって延在される。第１戸先扉パネル２０は、上下方向ＵＤにおいて、踏み板３（乗客室２の床４）に間隔（隙間）を隔てて配置される。
第１戸先扉パネル２０は、図４及び図２７に示すように、前後方向ＦＲにおいて、パネル保持部材１０Ａの前方（パネル保持部材１０Ａより外側）に位置して配置される。
第１戸先扉パネル２０は、左右方向ＬＲにおいて、一方の側端部２０Ａ（左側端部／一方の戸先側端部）を第１戸尻扉パネル１８の他方の側端部１８Ｂ（右側端部／他方の戸尻側端部）に隣接して配置される。
第１戸先扉パネル２０は、左右方向ＬＲにおいて、一方の側端部２０Ａを第１戸尻扉パネル１８の他方の側端部１８Ｂに回転自在に連結して配置される。
【００３０】
第１戸先扉パネル２０は、図２、図３、図４、及び図２５乃至図２７に示すように、案内部材１１（案内レール）により案内される第１被案内部材２６を有する。
第１被案内部材２６は、図２５乃至図２７に示すように、案内軸２７及び案内ローラ２８で構成される。
【００３１】
案内軸２７は、図２５乃至図２７に示すように、左右方向ＬＲにおいて、第１戸先扉パネル２０の他方の側端部２０Ｂ側（右側端部側）に配置される。案内軸２７は、上下方向ＵＤにおいて、第１戸先扉パネル２０の上端部２０Ｃに固定される。
案内軸２７は、上下方向ＵＤにおいて、第１戸先扉パネル２０の上端部２０Ｃ及び案内部材１１（案内レール）の間に延在して、案内部材１１の案内溝１１Ｂ内に配置（挿入）される。
案内ローラ２８は、図２５乃至図２７に示すように、例えば、ボールベアリングでなる。案内ローラ２８は、案内部材１１の案内溝１１Ｂ内に配置される。案内ローラ２８は、案内溝１１Ｂ内において、ローラ外周を案内枠材１１Ａ及び上横枠材１４に当接自在に配置される。案内ローラ２８は、案内溝１１Ｂ内において、案内軸２７に回転自在に外嵌される。案内軸２７は、上下方向ＵＤにおいて、案内ローラ２８を貫通して、案内ローラ２８を回転自在に支持する。
これにより、案内部材１１（案内レース）は、案内ローラ２８を案内して、第１戸先扉パネル２０の他方の側端部２０Ｂ側を左右方向ＬＲに案内する。
【００３２】
＜第１折畳み用ヒンジ２１＞
各第１折畳み用ヒンジ２１は、図１乃至図４に示すように、第１回転用ヒンジ１９と同一構造（平蝶番）であって、各羽根板２２，２３、芯軸部材２４及び各軸筒２５を有する。
各第１折畳み用ヒンジ２１は、図１及び図２に示すように、上下方向ＵＤにおいて、相互に間隔を隔てて並設される。
各第１折畳み用ヒンジ２１は、図１乃至図４、及び図２７に示すように、芯軸部材２４の回転中心線ａを上下方向ＵＤに向けて配置される。各第１折畳み用ヒンジ２１は、ゴンドラ本体１の内側（乗客室２側）に配置される。
各第１折畳み用ヒンジ２１は、一方の羽根板２２（左側羽根板）を第１戸尻扉パネル１８の裏平面１８Ｙに当接し、他方の羽根板２３（右側羽根板）を第１戸先扉パネル２０の裏平面２０Ｙに当接して配置される。
各第１折畳み用ヒンジ２１は、一方の羽根板２２を第１戸尻扉パネル１８の他方の側端部１８Ｂ（右側端部／他方の戸先側端部）に固定し、及び他方の羽根板２３を第１戸先扉パネル２０の一方の側端部２０Ａに固定して、第１戸尻扉パネル１８及び第１戸先扉パネル２０に設置される。
これにより、各第１折畳み用ヒンジ２１は、第１戸先扉パネル２０の一方の側端部２０Ａを、第１戸尻扉パネル１８の他方の側端部１８Ｂに回転自在に連結（支持）する。
各第１折畳み用ヒンジ２１において、芯軸部材２４の回転中心線ａは、第１戸尻扉パネル１８及び第１戸先扉パネル２０の回転中心線となる。
第１戸尻扉パネル１８及び第１戸先扉パネル２０は、各第１折畳み用ヒンジ２１の芯軸部材２４（回転中心線ａ）を中心として回転自在（旋回自在）にされる。
【００３３】
＜第２折り戸１３＞
第２折り戸１３は、図１乃至図４に示すように、扉支持枠体１０の内側（出入口１７）に配置される。
第２折り戸１３は、第２戸尻扉パネル３１、複数の第２回転用ヒンジ３２（蝶番）、第２戸先扉パネル３３、及び複数の第２折畳み用ヒンジ３４（蝶番）を備える。
【００３４】
＜第２戸尻扉パネル３１＞
第２戸尻扉パネル３１は、図１乃至図４に示すように、例えば、長方形パネル（矩形パネル）に形成され、扉支持枠体１０の内側（出入口１７）に配置される。第２戸尻扉パネル３１は、上下方向ＵＤにおいて、上横枠材１４及び踏み板３（乗客室２の床４）の間にわたって延在される。第２戸尻扉パネル３１は、上下方向ＵＤにおいて、踏み板３（乗客室２の床４）に間隔（隙間）を隔てて配置される。
第２戸尻扉パネル３１は、左右方向ＬＲにおいて、第１戸先扉パネル２０及び扉支持枠体１０の他方の縦枠材１６（右側縦枠材）の間に位置して配置される。
第２戸尻扉パネル３１は、図４及び図２４に示すように、前後方向ＦＲにおいて、パネル保持部材１０Ａの前方（パネル保持部材１０Ａより外側）に位置して配置される。
第２戸尻扉パネル３１は、左右方向ｌＲにおいて、一方の側端部３１Ａ（右側端部／一方の戸尻側端部）を扉支持枠体１０の他方の縦枠材１６（右側縦枠材）に隣接して配置される。
第２戸尻扉パネル３１は、左右方向ＬＲにおいて、一方の側端部３１Ａを扉支持枠体１０の他方の縦枠材１６（右縦枠材）に回転自在に連結して配置される。
【００３５】
＜第２回転用ヒンジ３２＞
各第２回転用ヒンジ３２（蝶番）は、図１乃至図４に示すように、第１回転用ヒンジ１９と同一構造（平蝶番）であって、各羽根板２２，２３、芯軸部材２４及び各軸筒２５を有する。
各第２回転用ヒンジ３２は、図１乃至図４、及び図２８に示すように、上下方向ＵＤにおいて、相互に間隔を隔てて並設される。各第２回転用ヒンジ３２は、芯軸部材２４の回転中心線ａを上下方向ＵＤに向けて配置される。各第２回転用ヒンジ３２は、ゴンドラ本体１（乗籠Ｙ）の外側に配置される。各第２回転用ヒンジ３２は、一方の羽根板２２（左側羽根板）を第２戸尻扉パネル３１の表平面３１Ｘに当接し、及び他方の羽根板２３（右側羽根板）を扉支持枠体１０の他方の縦枠材１６の表平面１６Ａに当接して配置される。
各第２回転用ヒンジ３２は、一方の羽根板２２（左側羽根板）を第２戸尻扉パネル３１の一方の側端部３１Ａ（右側端部）に固定し、及び他方の羽根板２３（右側羽根板）を扉支持枠体１０の他方の縦枠材１６（右縦枠材）に固定して、第２戸尻扉パネル３１及び縦枠材１６に設置される。
これにより、各第２回転用ヒンジ３２は、第２戸尻扉パネル３１の一方の側端部３１Ａを扉支持枠体１０の他方の縦枠材１６に回転自在に連結（支持）する。
各第２回転用ヒンジ３２において、芯軸部材２４の回転中心線ａは、第２戸尻扉パネル３１の回転中心線となる。
第２戸尻扉パネル３１は、各第２回転用ヒンジ３２の芯軸部材２４（回転中心線ａ）を中心として回転自在（旋回自在）にされる。
【００３６】
＜第２戸先扉パネル３３＞
第２戸先扉パネル３３は、図１乃至図４に示すように、例えば、長方形パネル（矩形パネル）に形成され、扉支持枠体１０の内側（出入口１７）に配置される。
第２戸先扉パネル３３は、左右方向ＬＲにおいて、第１戸先扉パネル２０及び第２戸尻扉パネル３１の間に位置して配置される。
第２戸先扉パネル３３は、上下方向ＵＤにおいて、上横枠材１４及び踏み板３（乗客室２の床４）の間にわたって延在される。第２戸先扉パネル３３は、上下方向ＵＤにおいて、踏み板３（乗客室２の床４）に間隔（隙間）を隔てて配置される。
第２戸先扉パネル３３は、図４及び図２８に示すように、前後方向ＦＲにおいて、パネル保持部材１０Ａの前方（パネル保持部材１０Ａより外側）に位置して配置される。
第２戸先扉パネル３３は、左右方向ＬＲにおいて、一方の側端部３３Ａ（右側端部／一方の戸先側端部）を第２戸尻扉パネル３１の他方の側端部３１Ｂ（左側端部／他方の先尻側端部）に隣接して配置される。
第２戸先扉パネル３３は、左右方向ＬＲにおいて、一方の側端部３３Ａを第２戸尻扉パネル３１の他方の側端部３１Ｂに回転自在に連結して配置される。
【００３７】
第２戸先扉パネル３３は、図２乃至図４、図２５、図２６及び図２８に示すように、案内部材１１（案内レール）により案内される第２被案内部材３５を有する。
第２被案内部材３５は、図２５、図１６及び図２８に示すように、第１被案内部材２６と同一構造であって、案内軸３６及び案内ローラ３７で構成される。
【００３８】
案内軸３６は、図２５、図２６及び図２８に示すように、左右方向ＬＲにおいて、第２戸先扉パネル３３の他方の側端部３１Ｂ側（左側端部側）に配置される。案内軸３６は、上下方向ＵＤにおいて、第２戸先扉パネル３３の上端部３３Ｃに固定される。
案内軸３６は、上下方向ＵＤにおいて、第２戸先扉パネル３３の上端部３３Ｃ及び案内部材１１（案内レール）の間に延在して、案内部材１１の案内溝１１Ｂ内に配置（挿入）される。
案内ローラ３７は、図２５、図２６及び図２８に示すように、例えば、ボールベアリングでなる。案内ローラ３７は、案内部材１１の案内溝１１Ｂ内に配置される。案内ローラ３７は、案内溝１１Ｂ内において、ローラ外周を案内枠材１１Ａ及び上横枠材１４に当接自在に配置される。案内ローラ３７は、案内溝１１Ｂ内において、案内軸３６に回転自在に外嵌される。案内軸３６は、上下方向ＵＤにおいて、案内ローラ３７を貫通して、案内ローラ３７を回転自在に支持する。
これにより、案内部材１１（案内レール）は、案内ローラ３７を案内して、第２戸先扉パネル３３の他方の側端部３３Ｂ側を左右方向ＬＲに案内する。
【００３９】
＜第２折畳み用ヒンジ３４＞
各第２折畳み用ヒンジ３４は、図１乃至図４に示すように、第１折畳み用ヒンジ２１（第１回転用ヒンジ１９）と同一構造であって、各羽根板２２，２３、芯軸部材２４及び各軸筒２５を有する。
各第２折畳み用ヒンジ３４は、図１及び図２に示すように、上下方向ＵＤにおいて、相互に間隔を隔てて並設される。
各第２折畳み用ヒンジ３４は、図１乃至図４、図２４及び図２８に示すように、芯軸部材２４の回転中心線ａを上下方向ＵＤに向けて配置される。各第２折畳み用ヒンジ３４は、ゴンドラ本体１の内側（乗客室２側）に配置される。
各第２折畳み用ヒンジ３４は、一方の羽根板２２（左側羽根板）を第２戸先扉パネル３３の裏平面３３Ｙに当接し、及び他方の羽根板２３（右側羽根板）を第２戸尻扉パネル３１の裏平面３１Ｙに当接して配置される。
各第２折畳み用ヒンジ３４は、一方の羽根板２２を第２戸先扉パネル３３の一方の側端部３３Ａ（右側端部／他方の戸先側端部）に固定し、及び他方の羽根板２３を第２戸尻扉パネル３１の他方の側端部３１Ｂに固定して、第２戸尻扉パネル３１及び第２戸先扉パネル３３に設置される。
これにより、各第２折畳み用ヒンジ３４は、第２戸先扉パネル３３の一方の側端部３３Ａを、第２戸尻扉パネル３１の他方の側端部３１Ｂに回転自在に連結（支持）する。
各第１折畳み用ヒンジ３４において、芯軸部材２４の回転中心線ａは、第２戸尻扉パネル３１及び第２戸先扉パネル３３の回転中心線となる。
第２戸尻扉パネル３１及び第２戸先扉パネル３３は、第２折畳み用ヒンジ３４の芯軸部材２４（回転中心線ａ）を中心として回転自在（旋回自在）にされる。
【００４０】
各扉パネル１８，２０，３１，３３（第１及び第２折り戸１２，１３）は、図１乃至図４に示すように、パネル閉じ状態Ｐ１（パネル閉じ位置）において、扉支持枠体１０の各縦枠材１５，１６の間に直線状に並列されて、出入口１７（乗降口）を閉塞する。
パネル閉じ状態Ｐ１において、各扉パネル１８，２０，３１，３３（第１及び第２折り戸１２，１３）は、図１乃至図４に示すように、各表平面１８Ｘ，２０Ｘ，３１Ｘ，３３Ｘを前方（ゴンドラ本体１の外側）に向け、及び同一平面に配置して並列され、出入口１７を閉塞する。
パネル閉じ状態Ｐ１において、各扉パネル１８，２０，３１，３３（第１及び第２折り戸１２，１３）は、図４、図９、図２４、図２７及び図２８に示すように、各裏平面１８Ｙ，２０Ｙ，３１Ｙ，３３Ｙを、前後方向ＦＲの前方（ゴンドラ本体１の外側）からパネル保持部材１０Ａに当接して配置される。パネル保持部材１０Ａは、各扉パネル１８，２０，３１，３３（第１及び第２折り戸１２，１３）をパネル閉じ状態Ｐ１に保持する。
パネル閉じ状態Ｐ１において、第１及び第２戸先扉パネル２０，３３は、図１乃至図４に示すように、他方の側端部２０Ｂ，３３Ｂを相互に当接して配置される。
【００４１】
折畳み式扉装置Ｚは、図１乃至図３、及び図５乃至図１６に示すように、第１扉ロック手段４１、第２扉ロック手段４２、及び第３扉ロック手段４３（補助扉ロック手段）を備える。
【００４２】
＜第１扉ロック手段４１（第１扉ロック機構）＞
第１扉ロック手段４１は、第１戸尻扉パネル１８及び第１戸先扉パネル２０（第１折り戸１２）をパネル閉じ状態Ｐ１にロック（固定）し、及びロック解除して第１戸尻扉パネル１８及び第１戸先扉パネル２０を回転自在にする。
第１扉ロック手段４１は、図１乃至図３、及び図５乃至図９に示すように、第１折り戸１２において、第１戸尻扉パネル１８の他方の側端部１８Ｂ側に設置される。
第１扉ロック手段４１は、図１乃至図３、及び図５乃至図９に示すように、第１下側ロック機構４４、及び第１上側ロック機構４５を有して構成される。
【００４３】
第１下側ロック機構４４は、図２に示すように、第１戸尻扉パネル１８の他方の側端部１８Ｂ側（右側端部側）に配置される。
第１下側ロック機構４４は、図１乃至図３、及び図５乃至図８に示すように、第１ロック穴４６、第１ロック軸部材４８、第１レバー案内部材４９、及び第１ロック操作レバー５０を有して構成される。
【００４４】
第１ロック穴４６は、図２、図５及び図８に示すように、例えば、踏み板３（床板／床）に形成される。第１ロック穴４６は、上下方向ＵＤにおいて、踏み板３を貫通して、踏み板３の上方に開口される。
第１ロック穴４６は、パネル閉じ状態Ｐ１において、第１戸尻扉パネル１８の他方の側端部１８Ｂ側（右側端部側）に位置するように配置される。第１ロック穴４６は、パネル閉じ状態Ｐ１において、第１戸尻扉パネル１８の下端部１８Ｄに対向する位置に配置される。
【００４５】
第１ロック軸部材４８は、図２、図５乃至図８に示すように、第１戸尻扉パネル１８の他方の側端部１８Ｂ側（右側端部側）に配置される。第１ロック軸部材４８は、第１戸尻扉パネル１８の内部に配置され、上下方向ＵＤに延在される。第１ロック軸部材４８は、上下方向ＵＤに移動自在及び回転自在として、第１戸尻扉パネル１８の内部に配置される。
第１ロック軸部材４８は、図５及び図８に示すように、パネル閉じ状態Ｐ１において、第１戸尻扉パネル１８の下端部１８Ｄから突出され、第１ロック穴４６に挿入自在（抜差自在）にされる。
【００４６】
第１レバー案内部材４９は、図２、図５及び図６に示すように、第１戸尻扉パネル１８（ゴンドラ本体１）の外側に配置される。第１レバー案内部材４９は、第１戸尻扉パネル１８の他方の側端部１８Ｂ側（右側端部側）に配置される。第１レバー案内部材４９は、上下方向ＵＤにおいて、第１ロック軸部材４８の上端部４８Ａに対向配置される。第１レバー案内部材４９は、第１戸尻扉パネル１８の表平面１８Ｘに当接して、第１戸尻扉パネル１８に固定される。
第１レバー案内部材４９は、第１レバー案内穴溝５１を有する。第１レバー案内穴溝５１は、前後方向ＦＲにおいて、第１レバー案内部材４９、及び第１戸尻扉パネル１８を貫通して、第１戸尻扉パネル１８の内部に連通される。
第１レバー案内穴溝５１は、第１縦穴溝部５１Ａ及び第１横穴溝部５１Ｂを有する。第１縦穴溝部５１Ａは、第１ロック軸部材４８の上端部４８Ａに隣接して配置され、上下方向ＵＤに延在される。第１横穴溝部５１Ｂは、上下方向ＵＤにおいて、第１縦穴溝部５１Ａの上端部に連続して形成される。第１横穴溝部５１Ｂは、左右方向ＬＲにおいて、第１縦穴溝部５１Ａに直交して、第１縦穴溝部５１Ａの上端部から第１戸尻扉パネル１８の他方の側端部１８Ｂに向けて延在される。
【００４７】
第１ロック操作レバー５０は、図２、及び図５乃至図７に示すように、第１操作レバー部５０Ａ、及び第１操作軸部５０Ｂを有し、第１操作レバー部５０Ａは、第１操作軸部５０Ｂの一方の軸端部に固定される。
第１ロック操作レバー５０は、第１操作レバー部５０Ａを第１戸尻扉パネル１８の外側に位置して、第１レバー案内部材４９に設置される。第１ロック操作レバー５０は、第１操作軸部５０Ｂを第１レバー案内穴溝５１に摺動自在に挿入（挿通）し、及び第１戸尻扉パネル１８の内部に突出して、第１レバー案内部材４９に設置される。
第１ロック操作レバー５０は、第１操作軸部５０Ｂを第１ロック軸部材４８の上端部４８Ａに固定して、第１ロック軸部材４８に連結される。
【００４８】
第１下側ロック機構４４は、図２、図５及び図８に示すように、パネル閉じ状態Ｐ１において、第１ロック軸部材４８の下端部４８Ｂを第１ロック穴４６に挿入して、第１戸尻扉パネル１８及び第１戸先扉パネル２０（第１折り戸１２）を回転不能にする。
これにより、第１下側ロック機構４４は、第１戸尻扉パネル１８及び第１戸先扉パネル２０（第１折り戸１２）をパネル閉じ状態Ｐ１にロック（固定）する。
第１下側ロック機構４４は、図６及び図７に示すように、各扉パネル１８，２０をロックした状態において、第１ロック操作レバー５０の第１操作軸部５０Ｂを第１縦穴溝部５１Ａの下端部に当接して配置される。
第１下側ロック機構４４は、第１ロック操作レバー５０を上方に引上げて、第１ロック軸部材４８の下端部４８Ｂを第１ロック穴４６から抜くことで、ロック解除する。
これにより、第１下側ロック機構４４は、ロック解除して第１戸尻扉パネル１８及び第１戸先扉パネル２０（第１折り戸１２）を回転自在にする。
また、第１下側ロック機構４４は、図６に示すように、第１ロック操作レバー５０を第１縦穴溝部５１Ａの上端部まで引上げ、及び第１ロック操作レバー５０を回転して第１操作軸部５０Ｂを第１横穴溝部５１Ｂに挿入する。
これにより、第１下側ロック機構４４は、第１ロック軸部材４８の移動を規制して、ロック解除の状態を維持（保持）する。
【００４９】
第１上側ロック機構４５は、図２、図３、図５乃至図７、及び図９に示すように、第１戸尻扉パネル１８の他方の側端部１８Ｂ側（右側端部側）に配置される。第１上側ロック機構４５は、上下方向ＵＤにおいて、第１下側ロック機構４４及び第１戸尻扉パネル１８の上端部１８Ｃの間に配置される。
第１上側ロック機構４５は、図２、図３、図５乃至図７、及び図９に示すように、第１固定穴５５、第１開閉軸部材５６及び第１開閉操作レバー５７を有して構成される。
【００５０】
第１固定穴５５は、図２、図５及び図９に示すように、例えば、上横枠材１４に形成される。第１固定穴５５は、上下方向ＵＤにおいて、上横枠材１４を貫通して、上横枠材１４の下方に開口される。
第１固定穴５５は、パネル閉じ状態Ｐ１において、第１戸尻扉パネル１８の他方の側端部１８Ｂ側（右側端部側）に位置するように配置される。第１固定穴５５は、パネル閉じ状態Ｐ１において、第１戸尻扉パネル１８の上端部１８Ｃに対向する位置に配置される。
【００５１】
第１開閉軸部材５６は、図２、図３、図５乃至図７及び図９に示すように、第１戸尻扉パネル１８の他方の側端部１８Ｂ側（右側端部側）に配置される。第１開閉軸部材５６は、第１戸尻扉パネル１８の内部に配置され、上下方向ＵＤに延在される。第１開閉軸部材５６は、上下方向ＵＤに移動自在として、第１戸尻扉パネル１８の内部に配置される。
第１開閉軸部材５６は、パネル閉じ状態Ｐ１において、第１戸尻扉パネル１８の上端部１８Ｃから突出され、第１固定穴５５の挿入自在（抜差自在）にされる。
第１開閉軸部材５６は、バネ部材（図示しない）にて上方（第１固定穴５５）に向けて付勢される。
【００５２】
第１開閉操作レバー５７は、図２、図６及び図７に示すように、第１戸尻扉パネル１８（ゴンドラ本体１）の外側に配置される。第１開閉操作レバー５７は、第１戸尻扉パネル１８の他方の側端部１８Ｂ側（右側端部側）に配置される。第１開閉操作レバー５７は、第１開閉軸部材５６の下端部５６Ｂに対向配置される。第１開閉操作レバー５７は、第１戸尻扉パネル１８の表平面１８Ｘに当接して、第１戸尻扉パネル１８に配置される。
第１開閉操作レバー５７は、第１レバー支持部５７Ａ及び第１開閉レバー部５７Ｂを有する。第１レバー支持部５７Ａは、第１戸尻扉パネル１８の他方の側端部１８Ｂ側（右側端部側）に固定される。第１開閉レバー部５７Ｂは、第１レバー支持部５７Ａに回転自在に支持される。第１開閉レバー部５７Ｂは、上下方向ＵＤにおいて、第１開閉軸部材５６の下端部５６Ｂに連結される。
【００５３】
第１上側ロック機構４５は、図２及び図９に示すように、パネル閉じ状態Ｐ１において、第１開閉軸部材５６の上端部５６Ａを第１固定穴５５に挿入して、第１戸尻扉パネル１８及び第１戸先扉パネル２０を回転不能にする。
これにより、第１上側ロック機構４５は、第１戸尻扉パネル１８及び第１戸先扉パネル２０（第１折り戸１２）をパネル閉じ状態Ｐ１にロック（固定）する。
第１上側ロック機構４５は、第１開閉レバー部５７Ｂを握って回転して、第１開閉軸部材５６を下方に引下げることで、第１開閉軸部材５６の上端部５６Ａを第１固定穴５５から抜く。
これにより、第１上側ロック機構４５は、ロック解除して第１戸尻扉パネル１８及び第１戸先扉パネル２０（第１折り戸１２）を回転自在にする。
また、第１上側ロック機構４５は、パネル閉じ状態Ｐ１において、第１開閉操作レバー５７の開閉レバー部５７Ｂの握りを解放することで、第１開閉軸部材５６の上端部５６Ａをバネ部材（図示しない）の付勢力（バネ力）にて第１固定穴５５に挿入する。
これにより、第１上側ロック機構４５は、第１戸尻扉パネル１８及び第１戸先扉パネル２０（第１折り戸１２）をパネル閉じ状態Ｐ１にロック（固定）する。
更に、第１上側ロック機構４５は、各扉パネル３１，３３のロックを解除して、第１開閉操作レバー５７を前後方向ＦＲの前方に引くことで、第１戸尻扉パネル１８及び第１戸先扉パネル２０（第２折り戸１３）を回転する。
これにより、第１戸尻扉パネル１８及び第１戸先扉パネル２０（第１折り戸１２）は、パネル閉じ状態Ｐ１から折畳まれてパネル開き状態Ｐ２（パネル全開き状態Ｐ２）にされ、出入口１７を開口する（図３３及び図３４参照）。
【００５４】
＜第２扉ロック手段４２（第２扉ロック機構）＞
第２扉ロック手段４２は、第２戸尻扉パネル３１及び第２戸先扉パネル３３（第２折り戸１３）をパネル閉じ状態Ｐ１にロック（固定）し、及びロック解除して第２戸尻扉パネル３１及び第２戸先扉パネル３３（第２折り戸１３）を回転自在にする。
第２扉ロック手段４２は、図１乃至図３、図１０乃至図１４に示すように、第２折り戸１３において、第２戸尻扉パネル３１の他方の側端部３１Ｂ側に設置される。
第２扉ロック手段４２は、図１乃至図３、及び図１０乃至図１４に示すように、第２下側ロック機構６１、及び第２上側ロック機構６２を有して構成される。
【００５５】
第２下側ロック機構６１は、図１及び図２に示すように、第２戸尻扉パネル３１の他方の側端部３１Ｂ側（左側端部側）に配置される。
第２下側ロック機構６１は、図１０乃至図１４に示すように、第１下側ロック機構４４と同一構造であって、第２ロック穴６３、第２ロック軸部材６５、第２レバー案内部材６６、及び第２ロック操作レバー６７を有して構成される。
【００５６】
第２ロック穴６３は、図２、図１０及び図１３に示すように、例えば、踏み板３（ステップ板）に形成される。第２ロック穴６３は、上下方向ＵＤにおいて、踏み板３を貫通して、踏み板３の上方に開口される。第２ロック穴６３は、左右方向ＬＲにおいて、第１ロック穴４６に間隔を隔てて対向配置される。
第２ロック穴６３は、パネル閉じ状態Ｐ１において、第２戸尻扉パネル３１の他方の側端部３１Ｂ側（左側端部側）に位置するように配置される。第２ロック穴６３は、パネル閉じ状態Ｐ１において、第２戸尻扉パネル３１の下端部３１Ｄに対向する位置に配置される。
【００５７】
第２ロック軸部材６５は、図２、図１０乃至図１３に示すように、第２戸尻扉パネル３１の他方の側端部３１Ｂ側（左側端部側）に配置される。第２ロック軸部材６５は、第２戸尻扉パネル３１の内部に配置され、上下方向ＵＤに延在される。第２ロック軸部材６５は、上下方向ＵＤに移動自在及び回転自在として、第２戸尻扉パネル３１の内部に配置される。
第２ロック軸部材６５は、図２、図１０及び図１３に示すように、パネル閉じ状態Ｐ１において、第２戸尻扉パネル３１の下端部３１Ｄから突出され、第２ロック穴６３に挿入自在（抜差自在）にされる。
【００５８】
第２レバー案内部材６６は、図２、図１０乃至図１２に示すように、第２戸尻扉パネル３１（ゴンドラ本体１）の外側に配置される。第２レバー案内部材６６は、第２戸尻扉パネル３１の他方の側端部３１Ｂ側（左側端部側）に配置される。第２レバー案内部材６６は、上下方向ＵＤにおいて、第２ロック軸部材６５の上端部６５Ａに対向配置される。第２レバー案内部材６６は、第２戸尻扉パネル３１の表平面３１Ｘに当接して、第２戸尻扉パネル３１に固定される。
第２レバー案内部材６６は、図２、図１０乃至図１２に示すように、第２レバー案内穴溝６８を有する。第２レバー案内穴溝６８は、前後方向ＦＲにおいて、第２レバー案内部材６６及び第２戸尻扉パネル３１を貫通して、第２戸尻扉パネル３１の内部に連通される。
第２レバー案内穴溝６８は、第２縦穴溝部６８Ａ及び第２横穴溝部６８Ｂを有する。第２縦穴溝部６８Ａは、第２ロック軸部材６５の上端部６５Ａに隣接して配置され、上下方向ＵＤに延在される。第２横穴溝部６８Ｂは、上下方向ＵＤにおいて、第２縦穴溝部６８Ａの上端部に連続して形成される。第２横穴溝部６８Ｂは、左右方向ＬＲにおいて、第２縦穴溝部６８Ａに直交して、第２縦穴溝部６８Ａの上端部から第２戸尻扉パネル３１の他方の側端部３１Ｂに向けて延在される。
【００５９】
第２ロック操作レバー６７は、図２、図１０乃至図１２に示すように、第２操作レバー部６７Ａ、及び第２操作軸部６７Ｂを有し、第２操作レバー部６７Ａは、第２操作軸部６７Ｂの一方の軸端部に固定される。
第２ロック操作レバー６７は、第２操作レバー部６７Ａを第２戸尻扉パネル３１の外側に位置して、第２レバー案内部材６６に設置される。第２ロック操作レバー６７は、第２操作軸部６７Ｂを第２レバー案内穴溝６８に摺動自在に挿入（挿通）し、及び第２戸尻扉パネル３１の内部に突出して、第２レバー案内部材６６に設置される。
第２ロック操作レバー６７は、第２操作軸部６７Ｂを第２ロック軸部材６５の上端部６５Ａに固定して、第２ロック軸部材６５に連結される。
【００６０】
第２下側ロック機構６１は、図２、図１０及び図１３に示すように、パネル閉じ状態Ｐ１において、第２ロック軸部材６５の下端部６５Ｂを第２ロック穴６３に挿入して、第２戸尻扉パネル３１及び第２戸先扉パネル３３（第２折り戸１３）を回転不能にする。
これにより、第２下側ロック機構６１は、第２戸尻扉パネル３１及び第２戸先扉パネル３３（第２折り戸１３）をパネル閉じ状態Ｐ１にロック（固定）する。
第２下側ロック機構６１は、図１１及び図１２に示すように、各扉パネル３１，３３をロックした状態おいて、第２ロック操作レバー６７を第２縦穴溝部６８Ａの下端部に当接して配置する。
第２下側ロック機構６１は、図１１に示すように、第２ロック操作レバー６７を上方に引上げて、第２ロック軸部材６５の下端部６５Ｂを第２ロック穴６３から抜くことで、ロック解除する。
これにより、第２下側ロック機構６１は、ロック解除して第２戸尻扉パネル３１及び第２戸先扉パネル３３（第２折り戸１３）を回転自在にする。
また、第２下側ロック機構６１は、第２ロック操作レバー６７を第２縦穴溝部６８Ａの上端部まで引上げ、及び第２ロック操作レバー６７を回転して、第２操作軸部６７Ｂを第２横穴溝部６８Ｂに挿入する。
これにより、第２下側ロック機構６１は、第２ロック軸部材６５の移動を規制して、ロック解除の状態を維持（保持）する。
【００６１】
第２上側ロック機構６２は、図１乃至図３、図１０乃至図１２及び図１４に示すように、第２戸尻扉パネル３１の他方の側端部３１Ｂ側（左側端部側）に配置される。第２上側ロック機構６２は、上下方向ＵＤにおいて、第２下側ロック機構６１及び第２戸尻扉パネル３１の上端部３１Ｃの間に配置される。
第２上側ロック機構６２は、第１上側ロック機構４５と同一構造であって、第２固定穴７１、第２開閉軸部材７２及び第２開閉操作レバー７３を有して構成される。
【００６２】
第２固定穴７１は、図２、図１０及び図１４に示すように、上横枠材１４に形成される。第２固定穴７１は、上下方向ＵＤにおいて、上横枠材１４を貫通して、上横枠材１４の下方に開口される。第２固定穴７１は、左右方向ＬＲにおいて、第１固定穴５５に間隔を隔てて対向配置される。
第２固定穴７１は、パネル閉じ状態Ｐ１において、第２戸尻扉パネル３１の他方の側端部３１Ｂ側（左側端部側）に位置するように配置される。第２固定穴７１は、パネル閉じ状態Ｐ１において、第２戸尻扉パネル３１の上端部３１Ｃに対応する位置に配置される。
【００６３】
第２開閉軸部材７２は、図２、図３、図１０乃至図１２、及び図１４に示すように、第２戸尻扉パネル３１の他方の側端部３１Ｂ側（左側端部側）に配置される。第２開閉軸部材７２は、第２戸尻扉パネル３１の内部に配置され、上下方向ＵＤに延在される。第２開閉軸部材７２は、上下方向ＵＤに移動自在として、第２戸尻扉パネル３１の内部に配置される。
第２開閉軸部材７２は、図２、図１０及び図１４に示すように、パネル閉じ状態Ｐ１において、第２尻先扉パネル３１の上端部３１Ｃから突出され、第２固定穴７１に挿入自在（抜差自在）にされる。
第２開閉軸部材７２は、バネ部材（図示しない）にて上方（第２固定穴７１）に向けて付勢される。
【００６４】
第２開閉操作レバー７３は、図１、図１０乃至図１２に示すように、第２戸尻扉パネル３１（ゴンドラ本体１）の外側に配置される。第２開閉操作レバー７３は、第２戸尻扉パネル３１の他方の側端部３１Ｂ側（左側端部側）に配置される。第２開閉操作レバー７３は、上下方向ＵＤにおいて、第２開閉軸部材７２の下端部７２Ｂに対向配置される。第２開閉操作レバー７３は、第２戸尻扉パネル３１の表平面３１Ｘに当接して、第２戸尻扉パネル３１に配置される。
第２開閉操作レバー７３は、第２レバー支持部７３Ａ及び第２開閉レバー部７３Ｂを有する。第２レバー支持部７３Ａは、第２戸尻扉パネル３１の他方の側端部３１Ｂ側（左側端部側）に固定される。第２開閉レバー部７３Ｂは、第２レバー支持部７３Ａに回転自在に支持される。第２開閉レバー部７３Ｂは、上下方向ＵＤにおいて、第２開閉軸部材７２の下端部７２Ｂに連結される。
【００６５】
第２上側ロック機構６２は、図２、図１０及び図１４に示すように、パネル閉じ状態Ｐ１において、第２開閉軸部材７２の上端部７２Ａを第２固定穴７１に挿入して、第２戸尻扉パネル３１及び第２戸先扉パネル３３（第２折り戸１３）を回転不能にする。
これにより、第２上側ロック機構６２は、第２戸尻扉パネル３１及び第２戸先扉パネル３３（第２折り戸１３）をパネル閉じ状態Ｐ１にロック（固定）する。
第２下側ロック機構６１は、図１２に示すように、第２開閉レバー部７３Ｂを握って回転して、第２開閉軸部材７２を下方に引下げることで、第２開閉軸部材７２の上端部７２Ａを第２固定穴７１から抜く。
これにより、第２上側ロック機構６２は、ロック解除して第２戸尻扉パネル３１及び第２戸先扉パネル３３（第２折り戸１３）を回転自在にする。
また、第２下側ロック機構６１は、パネル閉じ状態Ｐ１において、第２開閉操作レバー７３の第２開閉レバー部７３Ｂの握りを解放することで、第２開閉軸部材７２の上端部７２Ａをバネ部材（図示しない）の付勢力（バネ力）にて第２固定穴７１に挿入する。
これにより、第２下側ロック機構６１は、第２戸尻扉パネル３１及び第２戸先扉パネル３３（第２折り戸１３）をパネル閉じ状態Ｐ１にロック（固定）する。
更に、第２上側ロック機構６２は、各扉パネル３１，３３のロックを解除して、第２開閉操作レバー７３を前後方向ＦＲの前方に引くことで、第２戸尻扉パネル３１及び第２戸先扉パネル３３（第２折り戸１３）を回転する。
これにより、第２戸尻扉パネル３１及び第２戸先扉パネル３３（第２折り戸１３）は、パネル閉じ状態Ｐ１から折り畳まれてパネル開き状態Ｐ２（パネル全開き状態Ｐ２）にされ、出入口１７を開口する（図３３乃至図３５参照）。
【００６６】
＜第３扉ロック手段４３（第３扉ロック機構）＞
第３扉ロック手段４３（補助扉ロック手段）は、図２、図１５及び図１６に示すように、各扉パネル１８，２０，３１，３３（第１及び第２折り戸１２，１３）をパネル閉じ状態Ｐ１にロック（固定）し、及びロック解除して各扉パネル１８，２０，３１，３３（第１及び第２折り戸１２，１３）を回転自在にする。
第３扉ロック手段４３は、各扉パネル１８，２０，３１，３３（ゴンドラ本体１）の外側に配置される。第３扉ロック手段４３は、第１戸先扉パネル２０の他方の側端部２０Ｂ及び第２戸先扉パネル３３の他方の側端部３３Ｂに設置（配置）される。
第３扉ロック手段４３は、図２、図１５及び図１６に示すように、ロック操作平板７５、及び固定軸部材７６を有して構成される。
【００６７】
ロック操作平板７５は、例えば、長方形平板（矩形平板）に形成され、切欠穴溝７７及び操作摘み部７８を有する。切欠穴溝７７は、ロック操作平板７５の長手方向において一方の板端部側に形成され、ロック操作平板７５を貫通して形成される。操作摘み７８は、ロック操作平板７５の一方の板端部及び切欠穴溝７７の間に位置して、ロック操作平板７５に固定される。
ロック操作平板７５は、ゴンドラ本体１（乗籠Ｙ）の外側に配置される。ロック操作平板７５は、第２戸先扉パネル３３の他方の側端部３３Ｂ側（左側端部側）に設置される。ロック操作平板７５は、長手方向の他方の板端部を第２戸先扉パネル３３の他方の側端部３３Ｂに回転自在に支持される。ロック操作平板７５の他方の板端部は、前後方向ＦＲに延びるロック回転軸部材７９にて回転自在として、第２戸先扉パネル３３の他方の側端部３３Ｂ側（左側端部側）に支持される。
【００６８】
固定軸部材７６は、ゴンドラ本体１（乗籠Ｙ）の外側に配置される。固定軸部材７６は、軸中心線を前後方向ＦＲに向けて配置される。固定軸部材７６は、第１戸先扉パネル２０の他方の側端部２０Ｂ側（右側端部側）に固定される。固定軸部材７６は、左右方向ＬＲにおいて、ロック回転軸部材７９に間隔を隔てて平行配置される。
【００６９】
第３扉ロック手段４３は、図２、図１５及び図１６に示すように、ロック操作平板７５を回転し、固定軸部材７６の上方に位置して、切欠穴溝７７に固定軸部材７６を挿入する。
これにより、第３扉ロック手段４３は、ロック操作平板７５を各扉パネル２０，３３の間（第１及び第２折り戸１２，１３の間）に配置して、各扉パネル１８，２０，３１，３３（第１及び第２折り戸１２，１３）をパネル閉じ状態Ｐ１にロック（固定）する。
第３扉ロック手段４３は、図１５に示すように、ロック操作平板７５を回転して、切欠穴溝７７から固定軸部材７６を抜き、及びロック操作平板７５を第２戸先扉パネル３３側に配置する。
これにより、第３扉ロック手段４３は、ロック解除して各扉パネル１８，２０，３１，３３（第１及び第２折り戸１２，１３）を回転自在にする。
【００７０】
折畳み式扉装置Ｚは、図１乃至図５、図９、図１０、図１４、図１７乃至図２２、図２４、図２７及び図２８に示すように、第１扉オープナー手段８１、及び第２扉オープナー手段８２を備える。
【００７１】
＜第１扉オープナー手段８１（第１扉オープナー装置）＞
第１扉オープナー手段８１は、第１扉ロック手段４１及び第３扉ロック手段４３のロック解除に伴って、第１戸先扉パネル２０を回転する方向に押して、第１戸尻扉パネル１８及び第１戸先扉パネル２０（第１折り戸１２）をパネル閉じ状態Ｐ１から半開き状態Ｐ３にする。
第１扉オープナー手段８１は、図１乃至図４、図１９、図２１及び図２７に示すように、各扉パネル１８，２０（ゴンドラ本体１）の外側に配置される。第１扉オープナー手段８１は、左右方向ＬＲにおいて、第１戸尻扉パネル１８及び第１戸先扉パネル２０の間にわたって配置される。第１扉オープナー手段８１は、上下方向ＵＤにおいて、第１戸尻扉パネル１８の上端部１８Ｃ側及び第１戸先扉パネル２０の上端部２０Ｃ側に配置される。第１扉オープナー手段８１は、第１戸尻扉パネル１８の他方の側端部１８Ｂ側に設置される。
第１扉オープナー手段８１は、図１７及び図１８に示すように、第１回転支持部材８３、第１押付け部材８４、第１コイルバネ８５、及び第１回転軸部材８６を有する。
【００７２】
第１回転支持部材８３は、図１７及び図１８に示すように、一対の支持平板８７Ａ，８７Ｂ、連結平板８７Ｃ、バネ固定平板８７Ｄ及びバネ固定軸８８を有して構成される。各支持平板８７Ａ，８７Ｂは、例えば、長方形平板（矩形平板）に形成され、相互に間隔を隔てて平行配置される。連結平板８７Ｃは、例えば、長方形平板（矩形平板）に形成される。連結平板８７Ｃは、各支持平板８７Ａ，８７Ｂの幅方向ＨＢにおいて、一方の板幅端部に位置して、各支持平板８７Ａ，８７Ｂの間に配置される。連結平板８７Ｃは、各支持平板８７Ａ，８７Ｂに直交して、各支持平板８７Ａ，８７Ｂに連結（固定）される。
バネ固定平板８７Ｄは、各支持平板８７Ａ，８７Ｂの長手方向ＮＴにおいて、一方の板長端部に位置して、各支持平板８７Ａ，８７Ｂの間に配置される。バネ固定平板８７Ｄは、各支持平板８７Ａ，８７Ｂ及び連結平板８７Ｃに直交して、各支持平板８７Ａ，８７Ｂ及び連結平板８７Ｃに連結（固定）される。
これにより、第１回転支持部材８３は、図１７及び図１８に示すように、各支持平板８７Ａ，８７Ｂ、連結平板８７Ｃ及びバネ固定平板８７Ｄにて、バネ収納空所ＳＰを有する直方体に形成される。バネ収納空所ＳＰは、各支持平板８７Ａ，８７Ｂの長手方向ＮＴにおいて、一方の長端部がバネ固定平板８７Ｄで閉塞され、他方の長端部が開口される。また、バネ収納空所ＳＰは、各支持平板８７Ａ，８７Ｂの幅方向ＨＢにおいて、一方の幅端部が連結平板８７Ｃで閉塞され、他方の幅端部が開口される。
【００７３】
バネ固定軸８８は、図１７及び図１８に示すように、バネ収納空所ＳＰ内に配置される。バネ固定軸８８は、各支持平板８７Ａ，８７Ｂ及び連結平板８７Ｃに間隔を隔てて平行配置される、バネ固定軸８８は、バネ固定平板８７Ｄに直交して、バネ固定平板８７Ｄに固定される。バネ固定軸８８は、各支持平板８７Ａ，８７Ｂの長手方向ＮＴにおいて、バネ固定平板８７Ｄからバネ収納空所ＳＰに突出される。
【００７４】
第１回転支持部材８３は、図３、図１７乃至図１９、図２１及び図２７に示すように、第１戸尻扉パネル１８の上端部１８Ｃ側であって、第１戸尻扉パネル１８の他方の側端部１８Ｂ側（右側端部側）に配置される。第１回転支持部材８３は、左右方向ＬＲにおいて、バネ固定平板８７Ｄを左方（扉支持枠体の一方の縦枠材１５）に向けて配置される。第１回転支持部材８３は、連結平板８７Ｃを第１戸尻扉パネル１８の表平面１８Ｘに向けて配置される。
第１回転支持部材８３において、連結平板８７Ｃは、パネル閉じ状態Ｐ１において、第１戸尻扉パネル１８の表平面１８Ｘに間隔を隔てて平行配置される。
第１回転支持部材８３は、連結平板８７Ｃを第１戸尻扉パネル１８の他方の側端部１８Ｂ側（右側端部側）に固定して、第１戸尻扉パネル１８に設置(固定)される。なお、第１回転支持部材８３において、連結平板８７Ｃは、取付平板８９を介在して第１戸尻扉パネル１８の他方の側端部１８Ｂ側に固定される。
これにより、第１回転支持部材８３（バネ固定軸８８）は、パネル閉じ状態Ｐ１において、第１戸尻扉パネル１８の表平面１８Ｘに平行配置される。
【００７５】
第１押付け部材８４は、図１７及び図１８に示すように、一対の保持平板９１Ａ，９１Ｂ、側平板９１Ｃ、バネ支持平板９１Ｄ、バネ支持軸９２及び一対の押え円板９３を有して構成される。
【００７６】
各保持平板９１Ａ，９１Ｂは、例えば、長方形平板（矩形平板）に形成され、相互に間隔を隔てて平行配置される。側平板９１Ｃは、各保持平板９１Ａ，９１Ｂの幅方向ＨＢにおいて、一方の板幅端部に位置して、各保持平板９１Ａ，９１Ｂの間に配置される。側平板９１Ｃは、各保持平板９１Ａ，９１Ｂに直交して、各保持平板９１Ａ，９１Ｂに連結（固定）される。
バネ支持平板９１Ｄは、各保持平板９１Ａ，９１Ｂの長手方向ＮＴにおいて、一方の板長端部に間隔を隔てて位置して、各保持平板９１Ａ，９１Ｂの間に配置される。バネ支持平板９１Ｄは、各保持平板９１Ａ，９１Ｂ及び側平板９１Ｃに直交して、各保持平板９１Ａ，９１Ｂ及びバネ支持平板９１Ｄに連結（固定）される。
これにより、第１押付け部材８４は、各保持平板９１Ａ，９１Ｂ、側平板９１Ｃ及びバネ支持平板９１Ｄにて、バネ収納空所ＳＱを有する直方体に形成される。バネ収納空所ＳＱは、各保持平板９１Ａ，９１Ｂの長手方向ＮＴにおいて、一方の長端部がバネ支持平板９１Ｄで閉塞され、他方の長端部が開口される。また、バネ収納空所ＳＱは、各保持平板９１Ａ，９１Ｂの幅方向ＨＢにおいて、一方の幅端部が側平板９１Ｃで閉塞され、他方の幅端部が開口される。
【００７７】
バネ支持軸９２は、図１７及び図１８に示すように、バネ収納空所ＳＱに配置される。バネ支持軸９２は、各保持平板９１Ａ，９１Ｂ及び側平板９１Ｃに間隔を隔てて平行配置される。バネ支持軸９２は、バネ支持平板９１Ｄに直交して、バネ支持平板９１Ｄに固定される。バネ支持軸９２は、各保持平板９１Ａ，９１Ｂの長手方向ＮＴにおいて、バネ支持平板９１Ｄからバネ収納空所ＳＱに突出される。
【００７８】
第１押付け部材８４において、各押え円板９３は、各保持平板９１Ａ，９１Ｂの間に配置される。各押え円板９３は、各保持平板９１Ａ，９１Ｂの一方の板長端部及びバネ支持平板９１Ｄの間に配置され、各保持平板９１Ａ，９１Ｂの幅方向ＨＢから各保持平板９１Ａ，９１Ｂに当接される。各押え円板９３は、各保持平板９１Ａ，９１Ｂに平行配置されて、各保持平板９１Ａ，９１Ｂに支持（固定）される。各押え円板９３は、各保持平板９１Ａ，９１Ｂの一方の板長端部（バネ支持平板９１Ｄ）、及び他方の幅端部（開口）から外側に突出して配置される。
【００７９】
第１押付け部材８４は、図３、図１９、図２１及び図２７に示すように、第１戸尻扉パネル１８の上端部１８Ｃ側、及び第１戸先扉パネル２０の上端部２０Ｃ側であって、第１戸尻扉パネル１８の他方の側端部１８Ｂ側及び第１戸先扉パネル２０の一方の側端部２０Ａ側の間にわたって配置される。
第１押付け部材８４は、左右方向ＬＲにおいて、バネ支持平板９１Ｄを右方（扉支持枠体１０の他方の縦枠材１６）に向けて配置される。
第１押付け部材８４は、図１７乃至図１９、図２１及び図２７に示すように、パネル閉じ状態Ｐ１において、第１戸尻扉パネル１８の表平面１８Ｘ及び第１戸先扉パネル２０の表平面２０Ｘに間隔を隔てて平行配置される。第１押付け部材８４は、押え円板９３を第１戸先扉パネル２０の表平面２０Ｘに当接して配置される。
第１押付け部材８４は、図１７乃至図１９、及び図２７に示すように、第１回転支持部材８３に外嵌して配置され、バネ収納空所ＳＱ内に第１回転支持部材８３を配置する。
第１押付け部材８４は、各保持平板９１Ａ，９１Ｂの内側に第１回転支持部材８３の各支持平板８７Ａ，８７Ｂを位置して、第１回転支持部材８３に外嵌される。第１押付け部材８４は、各保持平板９１Ａ，９１Ｂを各支持平板８７Ａ，８７Ｂに隙間を隔てて平行配置して、第１回転支持部材８３に外嵌される。
第１押付け部材８４は、バネ支持軸９２の軸中心線をバネ固定軸８８の軸中心線に一致して、第１回転支持部材８３に外嵌される。
これにより、第１押付け部材８４（バネ支持軸９２）は、パネル閉じ状態Ｐ１において、第１戸尻扉パネル１８の表平面１８Ｘ及び第１戸先扉パネル２０の表平面２０Ｘに平行配置される。
第１押付け部材８４のバネ支持軸９２、及びバネ固定軸８８は、左右方向ＬＲにおいて、各軸中心線を同一直線上に配置して並設される。
【００８０】
第１コイルバネ８５は、図１７乃至図１９、及び図２１に示すように、パネル閉じ状態Ｐ１において、第１戸尻扉パネル１８の表平面１８Ｘ及び第１戸先扉パネル２０の表平面２０Ｘに平行配置される。第１コイルバネ８５は、第１回転支持部材８３及び第１押付け部材８４の各バネ収納空所ＳＰ，ＳＱ内に配置される。
第１コイルバネ８５は、パネル閉じ状態Ｐ１において、圧縮されて、第１回転支持部材８３のバネ固定軸８８及び第１押付け部材８４のバネ支持軸９２の間にわたって配置（架設）される。第１コイルバネ８５は、一方のバネ端部をバネ固定軸８８に連結（固定）し、及び他方のバネ端部をバネ支持軸９２に連結（固定）して、各バネ収納空所ＳＰ，ＳＱ内に配置される。
【００８１】
第１回転軸部材８６は、図１７乃至図１９、及び図２１に示すように、第１押付け部材８４を第１回転支持部材８３に回転自在に支持する。
第１回転軸部材８６は、第１戸尻扉パネル１８及び第１コイルバネ８５の間に配置される。第１回転軸部材８６は、各扉パネル１８，２０の回転中心線ａと同一方向（上下方向）に延在して配置される。第１回転軸部材８６は、上下方向ＵＤにおいて、第１押ルけ部材８４の各保持平板９１Ａ，９１Ｂ、及び第１回転支持部材８３の各支持平板８７Ａ，８７Ｂを貫通して、第１押付け部材８４を第１回転支持部材８３に回転自在に支持する。
【００８２】
第１扉オープナー手段８１は、第１扉ロック手段４１及び第３扉ロック手段４３のロック解除に伴って、第１コイルバネ８５のバネ力（付勢力）にて第１押付け部材８４を第１回転支持部材８３に対して回転する。第１押付け部材８４は、第１コイルバネ８５のバネ力により第１戸先扉パネル２０に向けて回転しつつ、第１戸先扉パネル２０を回転する方向に押す（図２９乃至図３２参照）。
これにより、第１戸先扉パネル２０は、第１コイルバネ８５のバネ力により第１戸尻扉パネル１８の裏平面１８Ｙに向けて回転しつつ、扉支持枠体１０の一方の縦枠材１５側に移動される。第１戸尻扉パネル１８は、第１戸先扉パネル２０の回転及び移動と同時に、回転される。
このように、第１戸尻扉パネル１８及び第１戸先扉パネル２０は、第１扉オープナー手段８１（第１コイルバネ８５のバネ力）により、回転及び移動されて、パネル閉じ状態Ｐ１から半開き状態Ｐ３にされる。
【００８３】
第１扉オープナー手段８１において、第１押付け部材８４は、各扉パネル１８，２０のパネル閉じ状態Ｐ１において、各扉パネル１８，２０の表平面１８Ｘ，２０Ｘに平行配置され、第１コイルバネ８５は、各扉パネル１８，２０のパネル閉じ状態Ｐ１において、圧縮されて、各扉パネル１８，２０の表平面１８Ｘ，２０Ｘに平行配置される。第１コイルバネ８５は、第１及び第３扉ロック手段４１，４３のロック解除に伴って、圧縮状態から伸長して第１押付け部材８４を第１回転角度θ１まで回転する。第１押付け部材８４は、第１コイルバネ８５のバネ力にて第１回転角度θ１まで回転しつつ、第１戸先扉パネル２０を押して回転及び移動して、各扉パネル１８，２０をパネル閉じ状態Ｐ１から半開き状態Ｐ３にする。押付け部材８４の第１回転角度θ１は、図３１（ａ）に示すように、第１戸尻扉パネル１８の表平面１８Ｘとなす角度である。第１押付け部材８４の第１回転角度θ１は、第１戸先扉パネル２０の第１回転角度θ１であって、各扉パネル１８，２０をパネル閉じ状態Ｐ１から半開き状態Ｐ３（パネル半開き状態Ｐ３）にする角度となる。
第１押付け部材８４の第１回転角度θ１（第１戸先扉パネル２０の第１回転角度θ１）は、各扉パネル１８，２０のパネル閉じ状態Ｐ１において、第１コイルバネ８５のバネ力（圧縮した第１コイルバネ８５のバネ力）を適宜選択（調整）して設定される。
【００８４】
＜第２扉オープナー手段８２（第２扉オープナー装置）＞
第２扉オープナー手段８２は、第２扉ロック手段４２及び第３扉ロック手段４３のロック解除に伴って、第２戸先扉パネル３３を回転する方向に押して、第２戸尻扉パネル３１及び第２戸先扉パネル３３（第２折り戸１３）をパネル閉じ状態Ｐ１から半開き状態Ｐ３にする。
第２扉オープナー手段８２は、図１乃至図４、図２０、図２２、図２４及び図２８に示すように、各扉パネル３１，３３（ゴンドラ本体１）の外側に配置される。第２扉オープナー手段８２は、左右方向ＬＲにおいて、第２戸尻扉パネル３１及び第２戸先扉パネル３３の間にわたって配置される。第２扉オープナー手段８２は、上下方向ＵＤにおいて、第２戸尻扉パネル３１の上端部３１Ｃ側及び第２戸先扉パネル３３の上端部３３Ｃ側に配置される。第２扉オープナー手段８２は、第２戸尻扉パネル３１の他方の側端部３１Ｂ側（左側端部側）に設置される。
第２扉オープナー手段８２は、図３、図１７、図１８、図２０、図２２、図２４及び図２８に示すように、第２回転支持部材９６、第１押付け部材９７、第２コイルバネ９８、及び第２回転軸部材９９を有する。
【００８５】
第２回転支持部材９６は、図１７及び図１８に示すように、第１回転支持部材８３と同一構造であって、各支持平板８７Ａ，８７Ｂ、連結平板８７Ｃ、バネ固定平板８７Ｄ及びバネ固定軸８８を有して構成される。
【００８６】
第２回転支持部材９６は、図１、図２０及び図２１に示すように、第２戸尻扉パネル３１の上端部３１Ｃ側であって、第２戸尻扉パネル３１の他方の側端部３１Ｂ側（左側端部側）に配置される。第２回転支持部材９６は、左右方向ＬＲにおいて、バネ固定平板８７Ｄを右方（扉支持枠体１０の他方の縦枠材１６）に向けて配置される。第２回転支持部材９６は、連結平板８７Ｃを第２戸尻扉パネル３１の表平面３１Ｘに向けて配置される。
第２回転支持部材９６において、連結平板８７Ｃは、パネル閉じ状態Ｐ１において、第２戸尻扉パネル３１の表平面３１Ｘに間隔を隔てて平行配置される。
第２回転支持部材９６は、連結平板８７Ｃを第２戸尻扉パネル３１の他方の側端部３１Ｂ側（左側端部側）に固定して、第２戸尻扉パネル３１に設置（固定）される。なお、第２回転支持部材９６において、連結平板８７Ｃは、取付平板８９を介在して第２戸尻扉パネル３１の他方の側端部３１Ｂ側に固定される。
これにより、第２回転支持部材９６（バネ固定軸８８）は、パネル閉じ状態Ｐ１において、第２戸尻扉パネル３１の表平面３１Ｘに平行配置される。
【００８７】
第２押付け部材９７は、図１７及び図１８に示すように、第１押付け部材８４と同一構造であって、各保持平板９１Ａ，９１Ｂ、側平板９１Ｃ、バネ支持平板９１Ｄ、バネ支持軸９２及び押え円板９３を有して構成される。
【００８８】
第２押付け部材９７は、図２０、図２２、図２４及び図２８に示すように、第２戸尻扉パネル３１の上端部３１Ｃ側、及び第２戸先扉パネル３３の上端部３３Ｃ側であって、第２戸尻扉パネルの他方の側端部３１Ｂ側及び第２戸先扉パネル３３の他方の側端部３３Ｂ側の間にわたって配置される。
第２押付け部材９７は、左右方向ＬＲにおいて、バネ支持平板９１Ｄを左方（扉支持枠体１０の一方の縦枠材１５）に向けて配置される。
第２押付け部材９７は、パネル閉じ状態Ｐ１において、第２戸尻扉パネル３１の表平面３１Ｘ及び第２戸先扉パネル３３の表平面３３Ｘに間隔を隔てて平行配置される。第２押付け部材９７は、押え円板９３を第２戸先扉パネル３３の表平面３３Ｘに当接して配置される。
第２押付け部材９７は、図１７、図１８、図２０、図２２及び図２４に示すように、第２回転支持部材９６に外嵌して配置され、パネル収納空所ＳＱ内に第２回転支持部材９６を配置する。
第２押付け部材９７は、各保持平板９１Ａ，９１Ｂの内側に第２回転支持部材９６の各支持平板８７Ａ，８７Ｂを位置して、第２回転支持部材９６に外嵌される。第２押付け部材９７は、各保持平板９１Ａ，９１Ｂを各支持平板８７Ａ，８７Ｂに隙間を隔てて平行配置して、第２回転支持部材９６に外嵌される。
第１押付け部材９７は、バネ支持軸９２の軸中心線をバネ固定軸８８の軸中心線に一致して、第２回転支持部材９６に外嵌される。
これにより、第２押付け部材９７（バネ支持軸９２）は、パネル閉じ状態Ｐ１において、第２戸尻扉パネル３１の表平面３１Ｘ及び第２戸先扉パネル３３の表平面３３Ｘに平行配置される。
また、第２押付け部材９７のバネ支持軸９２及びバネ固定軸８８は、左右方向ＬＲにおいて、各軸中心線を同一直線上に配置して並設される。
【００８９】
第２コイルバネ９８は、図１７、図１８、図２０及び図２２に示すように、第１コイルバネ８５と同一構造である。第２コイルバネ９８は、パネル閉じ状態Ｐ１において、第２戸尻扉パネル３１の表平面３１Ｘ及び第２戸先扉パネル３３の表平面３３Ｘに平行配置される。
第２コイルバネ９８は、第２回転支持部材９６及び第２押付け部材９７の各バネ収納空所ＳＰ，ＳＱ内に配置される。
第１コイルバネ８５は、パネル閉じ状態Ｐ１において、圧縮されて、第２回転支持部材９６のバネ固定軸８８及び第２押付け部材９７のバネ支持軸９２の間にわたって配置（架設）される。第２コイルバネ９８は、一方のバネ端部をバネ固定軸８８に連結（固定）し、及び他方のバネ端部をバネ支持軸９２に連結（固定）して、各バネ収納空所ＳＰ，ＳＱ内に配置される。
【００９０】
第２回転軸部材９９は、図１７、図１８、図２０、図２２及び図２４に示すように、第２押付け部材９７を第２回転支持部材９６に回転自在に支持する。
第２回転軸部材９９は、第２戸尻扉パネル３１及び第２コイルバネ９８の間に配置される。第２回転軸部材９９は、各扉パネル３１，３３の回転中心線ａと同一方向（上下方向）に延在して配置される。第２回転軸部材９９は、上下方向ＵＤにおいて、第２押付け部材９７の各保持平板９１Ａ，９１Ｂ、及び第２回転支持部材９６の各支持平板８７Ａ，８７Ｂを貫通して、第２押付け部材９７を第２回転支持部材９６に回転自在に支持する。
【００９１】
第２扉オープナー手段８２は、第２扉ロック手段４２及び第３扉ロック手段４３のロック解除に伴って、第２コイルバネ９８のバネ力（付勢力）にて第２押付け部材９７を第２回転支持部材９６に対して回転する。第２押付け部材９７は、第２コイルバネ９８のバネ力により第２戸先扉パネル３３に向けて回転しつつ、第２戸先扉パネル３３を回転する方向に押す（図１９乃至図３２参照）。
これにより、第２戸先扉パネル３３は、第２コイルバネ９８のバネ力により第２戸尻扉パネル３１の裏平面３１Ｙに向けて回転しつつ、扉支持枠体１０の他方の縦枠材１６側に移動される。第２戸尻扉パネル３１は、第２戸先扉パネル３３の回転及び移動と同時に、回転される。
このように、第２戸尻扉パネル３１及び２戸先扉パネル３３は、第２扉オープナー手段８２（第２コイルバネ９８のバネ力）により、回転及び移動されて、パネル閉じ状態Ｐ１から半開き状態Ｐ３にされる。
【００９２】
第２扉オープナー手段８２において、第２押付け部材９７は、各扉パネル３１，３３のパネル閉じ状態Ｐ１において、各扉パネル３１，３３の表平面３１Ｘ，３３Ｘに平行配置され、第２コイルバネ９８は、各扉パネル３１，３３のパネル閉じ状態Ｐ１において、圧縮されて、各扉パネル３１，３３の表平面３１Ｘ，３３Ｘに平行配置される。第２コイルバネ９８は、第２及び第３扉ロック手段４２，４３のロック解除に伴って、圧縮状態から伸長して第２押付け部材９７を第２回転角度θ２まで回転する。第２押付け部材９７は、第２コイルバネ９８のバネ力にて第２回転角度θ２まで回転しつつ、第２戸先扉パネル３３を押して回転及び移動して、各扉パネル３１，３３をパネル閉じ状態Ｐ１から半開き状態Ｐ３にする。第２押付け部材９７の第２回転角度θ２は、図３１（ｂ）に示すように、第２戸尻扉パネル３１の表平面３１Ｘとなす角度である。第２押付け部材９７の第２回転角度θ２は、第２戸先扉パネル３３の第２回転角度θ２であって、各扉パネル１８，２０をパネル閉じ状態Ｐ１から半開き状態Ｐ３（パネル半開き状態Ｐ３）にする角度となる。
第２押付け部材９７の第２回転角度θ２（第２戸先扉パネル３３の第２回転角度θ２）は、各扉パネル３１，３３のパネル閉じ状態Ｐ１において、第２コイルバネ９８のバネ力（圧縮した第１コイルバネ８５のバネ力）を適宜選択（調整）して設定される。
【００９３】
折畳み式扉装置Ｚは、図２乃至図４、図２３乃至図２８に示すように、循環手段１０１、第１連結手段１０２、及び第２連結手段１０３を備える。
【００９４】
＜循環手段１０１（循環機構）＞
循環手段１０１は、図２乃至図４、及び図２３乃至図２８に示すように、左右一対の支持ブラケット１０５，１０６、左右一対のロケット支持軸部材１０７，１０８、左右一対のスプロケット１０９，１１０、及び環状部材１１１を有して構成される。
【００９５】
各支持ブラケット１０５，１０６は、図３、図４、図２３及び図２４に示すように、左右方向ＬＲにおいて、相互に間隔を隔てて配置される。
各支持ブラケット１０５，１０６は、扉支持枠体１０の各縦枠材１５，１６に隣接して配置される。各支持ブラケット１０５，１０６は、前後方向ＵＤにおいて、案内部材１１に間隔を隔てて、案内部材１１の前方（上横枠材１４の前方）に配置される。各支持ブラケット１０５，１０６は、ロケット支持平板１１２を有し、案内部材１１（上横枠材１４）に固定される。各支持ブラケット１０５，１０６において、ロケット支持平板１１０は、前後方向ＦＲにおいて、案内部材１１（案内レール）の前方に位置して、案内部材１１（上横枠材１４）に間隔を隔てて平行配置される。
【００９６】
各ロケット支持軸部材１０７，１０８は、図３、図４、図２３及び図２４に示すように、左右方向ＬＲにおいて、相互に間隔を隔てて平行配置される。各ロケット支持軸部材１０７，１０８は、扉支持枠体１０の各縦枠材１５，１６に隣接して配置される。
各ロケット支持軸部材１０７，１０８は、一方の軸端部を各支持ブラケット１０５，１０６のロケット支持平板１１２に固定して、各支持ブラケット１０５，１０６に片持ち支持される。各ロケット支持軸部材１０７，１０８は、各扉パネル１８，２０，３１，３３に直交する方向（前後方向ＦＲ）に延在され、各支持ブラケット１０５，１０６のロケット支持平板１１２固定される。各ロケット支持軸部材１０７，１０８は、各支持ブラケット１０５，１０６のロケット支持平板１１２に直交して、ロケット支持平板１１０の前方に延在される。
【００９７】
各スプロケット１０９，１１０は、図３、図４、図２３及び図２４に示すようじ、各ロケット支持軸部材１０７，１０８に回転自在に外嵌される。
各スプロケット１０９，１１０は、前後方向ＦＲの同一位置において、各ロケット支持軸部材１０７，１０８に回転自在に支持される。
【００９８】
環状部材１１１は、図２乃至図４、図２３及び図２４に示すように、例えば、環状チェーンであって、各スプロケット１０９，１１０に巻回され、及び各スプロケット１０９，１１０に噛合される。
これにより、循環手段１０１は、左右方向ＬＲにおいて、扉支持枠体１０の各縦枠材１５，１６の間（各スプロケット１０９，１１０の間）にて環状部材１１１を循環させる。循環手段１０１は、上下方向ＵＤにおいて、案内部材１１（上横枠材１４）に平行する上下の循環経路ＲＵ，ＲＤを経て、環状部材１１１（環状チェーン）を循環する。
【００９９】
＜第１連結手段１０２＞
第１連結手段１０２は、図２乃至図４、図２５乃至図２７に示すように、第１戸先扉パネル２０（第１被案内部材２６）及び環状部材１１１（環状チェーン）を連結する。
第１連結手段１０２は、上下方向ＵＤにおいて、第１戸尻扉パネル１８の上端部１８Ｃの上方に配置される。第１連結手段１０２は、第１戸先扉パネル２０の他方の側端部２０Ｂ側に位置して、第１被案内部材２６に対向配置される。第１連結手段１０２は、前後方向ＦＲにおいて、第１被案内部材２６及び環状部材１１１（環状チェーン）の間に配置される。
第１連結手段１０２は、図２５乃至図２７に示すように、第１連結筒部材１２１、第１連結ブラケット１２２、第１取付ボルト１２３、第１取付ナット１２４、及び第１連結ボルト１２５を有して構成される。
【０１００】
第１連結筒部材１２１は、図２５乃至図２７に示すように、第１被案内部材２６に設置される。第１連結筒部材１２１は、上下方向ＵＤにおいて、案内ローラ２８及び第１戸尻扉パネル１８の上端部１８Ｃの間に配置される。第１連結筒部材１２１は、案内軸２７に外嵌されて、第１被案内部材２６に取付けられる。
【０１０１】
第１連結ブラケット１２２は、図２５乃至図２７示すように、第１ブラケット平板１２６、及び第１チェーン支持板１２７を有する。
第１ブラケット平板１２６は、前後方向ＦＲにおいて、環状部材１１１（環状チェーン）及び案内部材１１（案内レール）の間に位置して、案内部材１１に間隔を隔てて平行配置される。第１ブラケット平板１２６は、前後方向ＦＲにおいて、環状部材１１１に間隔を隔てて配置される。第１ブラケット平板１２６は、上下方向ＵＤにおいて、第１戸先扉パネル２０の上端部２０Ｃ、及び一方の循環経路ＲＵ（上方の循環経路）に位置する環状部材１１１（以下、「上方の環状部材１１１」という）の間に延在して配置される。
第１チェーン支持板１２７は、例えば、Ｌ字状平板に形成され、上下方向ＵＤにおいて、第１ブラケット平板１２６の上端部に配置される。第１チェーン支持板１２７は、前後方向ＦＲにおいて、第１ブラケット平板１２６の前方に位置して、第１ブラケット平板１２６に当接して配置される。第１チェーン支持板１２７は、上下方向ＵＤにおいて、一方（上方）の循環経路ＲＵ及び他方（下方）の循環経路ＲＤに位置する環状部材１１１の間に位置して、上方の環状部材１１１に対向配置される。第１チェーン支持板１２７は、前後方向ＦＲにおいて、第１ブラケット平板１２６から上方の環状部材１１１まで延在される。第１チェーン支持板１２７は、上方の環状部材１１１（環状チェーン）に連結される。
【０１０２】
第１取付ボルト１２３は、図２５乃至図２７に示すように、前後方向ＦＲにおいて、第１ブラケット平板１２６及び第１チェーン支持板１２７を貫通して、第１チェーン支持板１２７の前方に突出される。
第１取付ナット１２４は、前後方向ＦＲにおいて、第１チェーン支持板１２７の前方から第１取付ボルト１２３に螺着される。
これにより、第１取付ボルト１２３及び第１取付ナット１２４は、第１ブラケット平板１２６及び第１チェーン支持板１２７を締付けて、第１チェーン支持板１２７を第１ブラケット平板１２６に固定する。
【０１０３】
第１連結ボルト１２５は、図２５及び図２７に示すように、前後方向ＦＲにおいて、第１ブラケット平板１２６を貫通して、第１連結筒部材１２１に螺着される。
これにより、第１連結ボルト１２５は、第１ブラケット平板１２６を第１連結筒部材１２１に固定する。第１ブラケット平板１２６は、第1連結筒部材１２１を介在して、第１被案内部材２６の案内軸２７に取付けられる。
【０１０４】
第１連結手段１０２は、第１チェーン支持板１２７を上方の環状部材１１１（環状チェーン）に連結し、第１ブラケット平板１２６を第１被案内部材２６（案内軸２７）に取付ける。
これにより、第１連結手段１０２は、一方の循環経路ＲＵに位置する環状部材１１１、及び第１戸先扉パネル２０の第１被案内部材２６を連結する。
【０１０５】
＜第２連結手段１０３＞
第２連結手段１０３は、図２乃至図４、図２５、図２６及び図２８に示すように、第２戸先扉パネル３３（第２被案内部材３５）及び環状部材１１１（環状チェーン）を連結する。
第２連結手段１０３は、上下方向ＵＤにおいて、第２戸先扉パネル３３の上端部３３Ｃの上方に配置される。第２連結手段１０３は、第２戸先扉パネル３３の他方の側端部３３Ｂ側に位置して、第２被案内部材３５に対向配置される。第２連結手段１０３は、前後方向ＦＲにおいて、第２被案内部材３５及び環状部材１１１の間に配置される。
第２連結手段１０３は、図１７乃至図１９、及び図２１に示すように、第２連結筒部材１３１、第２連結ブラケット１３２、第２取付ボルト１３３、第２取付ナット１３４、及び第２連結ボルト１３５を有して構成される。
【０１０６】
第２連結筒部材１３１は、図２５、図２６及び図２８に示すように、第２被案内部材３５に設置される。第２連結筒部材１３１は、上下方向ＵＤにおいて、案内ローラ３７及び第２戸先扉パネル３３の上端部３３Ｃの間に配置される。第２連結筒部材１３１は、案内軸３６に外嵌されて、第２被案内部材３５に取付けられる。
【０１０７】
第２連結ブラケット１３２は、図２５、図２６及び図２８に示すように、第２ブラケット平板１３６、及び第２チェーン支持板１３７を有する。
第２ブラケット平板１３６は、前後方向ＦＲにおいて、環状部材１１１（環状チェーン）、及び案内部材１１（案内レール）の間に位置して、案内部材１１に間隔を隔てて平行配置される。第２ブラケット平板１３６は、前後方向ＦＲにおいて、環状部材１１１に寛解を隔てて配置される。第２ブラケット平板１３６は、上下方向ＵＤにおいて、第２戸先扉パネル３３の上端部３３Ｃ及び他方の循環経路ＲＤ（下方の循環経路）に位置する環状部材１１１（以下、「下方の環状部材１１１」という）の間に延在して配置される。
第２チェーン支持板１３７は、例えば、Ｌ字状平板に形成され、上下方向ＵＤにおいて、第２ブラケット平板１３６の上端部に配置される。第２チェーン支持板１３７は、前後方向ＦＲにおいて、第２ブラッケット平板１３６の前方に位置して、第２ブラケット平板１３６に当接して配置される。第２チェーン支持板１３７は、上下方向ＵＤにおいて、下方の環状部材１１１に対向配置される。第２チェーン支持板１３７は、前後方向ＦＲにおいて、第２ブラケット平板１３６から下方の環状部材１１１に延在される。第２チェーン支持板１３７は、下方の環状部材１１１（環状チェーン）に連結される。
【０１０８】
第２取付ボルト１３３は、図２５、図２６及び図２８に示すように、前後方向ＦＲにおいて、第２ブラケット平板１３６及び第２チェーン支持板１３７を貫通して、第２チェーン支持板１３７の前方に突出される。
第２取付ナット１３４は、前後方向ＦＲにおいて、第２チェーン支持板１３７の前方から第２取付ボルト１３３に螺着される。
これにより、第２取付ボルト１３３及び第２取付ナット１３４は、第２ブラケット平板１３６及び第２チェーン支持板１３７を締付けて、第２チェーン支持板１３７を第２ブラケット平板１３６に固定する。
【０１０９】
第２連結ボルト１３５は、図２５及び図２８に示すように、前後方向ＦＲにおいて、第２ブラケット平板１３６を貫通して、第２連結筒部材１３１に螺着される。
これにより、第２連結ボルト１３５は、第２ブラケット平板１３６を第２連結筒部材１３１に固定する。第２ブラケット平板１３６は、第２連結筒部材１３１を介在して、第２被案内部材３５の案内軸３６に取付けられる。
【０１１０】
第２連結手段１０３は、第２チェーン支持板１３７を下方の環状部材１１１（環状チェーン）に連結し、第２ブラケット平板１３６を第２被案内部材３５（案内軸３６）に取付ける。
これにより、第２連結手段１０３は、他方の循環経路ＲＥに位置する環状部材１１１、及び第２戸先扉パネル３３の第２被案内部材３５を連結する。
【０１１１】
＜第１及び第２折り戸１２，１３の開閉動作＞
次に、戸畳み式扉装置Ｚの開閉動作について、図２９乃至図３５を参照して説明する。
なお、説明の便宜上、各扉パネル１８，２０，３１，３３は、パネル閉じ状態Ｐ１（図１乃至図４参照）であり、第１乃至第３扉ロック手段４１〜４３は、各扉パネル１８，２０，３１，３３をパネル閉じ状態Ｐ１にロック（固定）しているものとする。
【０１１２】
先ず、第１乃至第３扉ロック手段４１〜４３を操作して、各扉パネル１８，２０，３１，３３のロックを解除する。
【０１１３】
第１乃至第３扉ロック手段４１〜４３のロック解除に伴って、第１扉オープナー手段８１は、第１戸尻扉パネル１８及び第１戸先扉パネル２０（第１折り戸１２）をパネル閉じ状態Ｐ１から半開き状態Ｐ３にする。
【０１１４】
第１扉オープナー手段８１において、第１コイルバネ８５は、図２９乃至図３１に示すように、バネ力にて第１押付け部材８４を第１回転支持部材８３に対して回転する。第１押付け部材８４は、第１コイルバネ８５のバネ力により、第１回転軸部材８６を中心として第１戸先扉パネル２０に向けて回転しつつ、第１戸先扉パネル２０を回転する方向に押す。第１押付け部材８４は、各押え円板９３を第１戸先扉パネル２０に押付ける。
このとき、第１押付け部材８４は、図３１（ａ）に示すように、第１コイルバネ８５のバネ力にて第１戸先扉パネル２０を押しつつ、第１回転角度θ１まで回転される。また、第１コイルバネ８５は、第１押付け部材８４の回転に伴って、伸長しつつ湾曲される。
これにより、第１戸先扉パネル２０は、第１コイルバネ８５のバネ力により、各第１折畳み用ヒンジ２１を中心として第１戸尻扉パネル１８の裏平面１８Ｙに向けて回転しつつ、左右方向ＬＲに移動される。第１戸先扉パネル２０は、案内部材１１及び案内ローラ２８（第１被案内部材２６）にて案内されつつ、左右方向ＬＲに移動される。
第１戸尻扉パネル１８は、第１戸先扉パネル２０の回転及び移動と同時に、ゴンドラ本体１の外側であって、各第１回転用ヒンジ１９を中心として扉支持枠体１０の一方の縦枠材１５に向けて回転される。
【０１１５】
第２扉オープナー手段８２において、第２コイルバネ９８は、図２９乃至図３２に示すように、バネ力にて第２押付け部材９７を第２回転支持部材９６に対して回転する。第２押付け部材９７は、第２コイルバネ９８のバネ力により、第２回転軸部材９９を中心として第２戸先扉パネル３３に向けて回転しつつ、第２戸先扉パネル３３を回転する方向に押す。第２押付け部材９７は、各押え円板９３を第２戸先扉パネル３３に押付ける。
このとき、第２押付け部材９７は、図３１（ｂ）に示すように、第２コイルバネ９８のバネ力により第２戸先扉パネル３３を押しつつ、第２回転角度θ２まで回転される。また、第２コイルバネ９８は、第２押付け部材９７の回転に伴って、伸長しつつ湾曲される。
これにより、第２戸先扉パネル３３は、第２コイルバネ９８のバネ力により、各第２折畳み用ヒンジ３４を中心として第２戸尻扉パネル３１の裏平面３１Ｙに向けて回転しつつ、扉支持枠体１０の他方の縦枠材１６側に移動される。第２戸先扉パネル３３は、案内部材１１及び第２被案内部材３５（案内ローラ３７）にて案内されつつ、左右方向ＬＲに移動される。
第２戸尻扉パネル３１は、第２戸先扉パネル３３の回転及び移動と同時に、ゴンドラ本体１の外側であって、第２回転用ヒンジ３２を中心として扉支持枠体１０の他方の縦枠材１６に向けて回転される。
【０１１６】
各扉パネル１８，２０（第１折り戸１２）を半開き状態Ｐ３にすると、第１開閉操作レバー５７（第１上側ロック機構４５）を握った状態で、第１開閉操作レバー５７を前後方向ＦＲの前方に引く（図３３及び図３４参照）。
これにより、第１戸先扉パネル２０は、図３３及び図３４に示すように、半開き状態Ｐ３から更に、第１戸尻扉パネル１８の裏平面１８Ｙ側に向けて回転しつつ、扉支持枠体１０の一方の縦枠材１５に移動される。
このとき、第１押付け部材８４は、押え円板９３を第１戸先扉パネル２０の表平面２０Ｘから離間して、第１コイルバネ８５にて第１回転角度θ１に保持される。
第１戸尻扉パネル１８は、第１戸先扉パネル２０の回転及び移動と同時に、半開き状態Ｐ３から更に、扉支持枠体１０の一方の縦枠材１５に向けて回転される。
第１戸尻扉パネル１８及び第１戸先扉パネル２０（第１折り戸１２）は、図３３乃至図３５に示すように、左右方向ＬＲにおいて、相互に重なって折畳まれてパネル開き状態Ｐ２になる。第１戸尻扉パネル１８及び第１戸先扉パネル２０（第１折り戸１２）は、パネル開き状態Ｐ２において、相互に重なって折畳まれて、出入口１７（乗降口）を開口する。各扉パネル１８，２０は、パネル開き状態Ｐ２（パネル全開き錠他Ｐ２）において、相互に重なって折畳まれて、扉支持枠体１０の一方の縦枠材１５に隣接して配置される。
【０１１７】
また、各扉パネル３１，３３（第２折り戸１３）を半開き状態Ｐ３にすると、第２開閉操作レバー７３（第２上側ロック機構６２）を握った状態で、第２開閉操作レバー７３を前後方向ＦＲの前方に引く（図３３乃至図３５参照）。
これにより、第２戸先扉パネル３３は、半開き状態Ｐ３から更に、第２戸尻扉パネル３１の裏平面３１Ｙ側に向けて回転しつつ、左右方向ＬＲに移動される。
このとき、第２押付け部材９７は、押え円板９３を第２戸先扉パネル３３の表平面３３Ｘから離間して、第２コイルバネ９８にて第２回転角度θ２に保持される。
第２戸尻扉パネル３１は、第２戸先扉パネル３３の回転及び移動と同時に、半開き状態Ｐ３から更に、扉支持枠体１０の他方の縦枠材１６に向けて回転される。
第２戸尻扉パネル３１及び第２戸先扉パネル３３（第２折り戸１３）は、図３３乃至図３５に示すように、左右方向ＬＲにおいて、相互に重なって折畳まれてパネル開き状態Ｐ２となる。第２戸尻扉パネル３１及び第２戸先扉パネル３３（第２折り戸１３）は、パネル開き状態Ｐ２において、相互に重なって折畳まれて、出入口１７（乗降口）を開口する。各扉パネル３１，３３は、パネル開き状態Ｐ２（パネル全開き状態Ｐ２）において、相互に重なって折畳まれて、扉支持枠体１０の他方の縦枠材１６に隣接して配置される。
【０１１８】
なお、第１戸先扉パネル２０（第１被案内部材２６）は、第１連結手段１０２にて一方の循環経路ＲＵに位置する環状部材１１１に連結され、及び第２戸先扉パネル３３（第２被案内部材３５）は、第２連結手段１０３にて他方の循環経路ＲＤに位置する環状部材１１１に連結されているので、一方の戸先扉パネル２０（又は３３）の左右方向ＬＲの移動に同期して、他方の戸先扉パネル３３（又は２０）を左右方向ＬＲに移動できる。
これにより、第１開閉操作レバー５７又は第２開閉操作レバー７３の一方、例えば、第１開閉操作レバー５７を握って、第１開閉操作レバー５７を前後方向ＦＲの前方に引くことで、第１戸先扉パネル２０の回転及び移動と同期して、第２戸先扉パネル３３を回転及び移動できる。
このように、第１開閉操作レバー５７及び第２開閉操作レバー７３の一方を操作することで、各扉パネル１８，２０，３１，３３（第１及び第２折り戸１２，１３）を回転及び移動して、各扉パネル１８，２０，３１，３３を同時にパネル開き状態Ｐ２にできる。
【０１１９】
各扉パネル１８，２０のパネル開き状態Ｐ２（パネル全開き状態Ｐ２）において、第１開閉操作レバー５７を握って、第１開閉操作レバー５７を前後方向ＦＲの後方（出入口１７側）に押す。
第１戸先扉パネル２０は、第１戸尻扉パネル１８の裏平面１８Ｙから離間する方向に回転しつつ、扉支持枠体１０の縦枠材１６に向けて移動される。第１戸尻扉パネル１８は、第１戸先扉パネル２０の回転及び移動と同時に、出入口１７に向けて回転される。
このとき、第１戸先扉パネル２０は、パネル閉じ状態Ｐ１に向けた回転の途中において、第１押付け部材８４の各押え円板９３に当接して、第１押付け部材８４を回転しつつ、第１コイルバネ８５を伸長状態から圧縮する。第１扉オープナー手段８１において、第１押付け部材８４は、各押え円板９３を第１戸先扉パネル２０の表平面２０Ｘに当接して、第１戸先扉パネル２０と共に、パネル閉じ状態Ｐ１に向けて回転される。第１コイルバネ８５は、第１押付け部材８４の回転に伴って、伸長状態から圧縮される。
【０１２０】
第２戸尻扉パネル３１及び第２戸先扉パネル３３のパネル開き状態Ｐ２（パネル全開き状態Ｐ２）において、第２開閉操作レバー７３を握って、第２開閉操作レバー７３を前後方向ＦＲの後方（出入口１７側）に押す。
第２戸先扉パネル３３は、第２戸尻扉パネル３１の裏平面３１Ｙから離間する方向に回転しつつ、扉支持枠体１０の一方の縦枠材１５に向けて移動される。第２戸尻扉パネル３１は、第２戸先扉パネル３３の回転及び移動と同時に、出入口１７に向けて回転される。
このとき、第２戸先扉パネル３３は、パネル閉じ状態Ｐ１に向けた回転の途中において、第２押付け部材９７の各押え円板９３に当接して、第２押付け部材９７を回転しつつ、第２コイルバネ９８を伸長状態から圧縮する。第２扉オープナー手段８２において、第２押付け部材９７は、各押え円板９３を第２戸先扉パネル３３の表平面３３Ｘに当接して、第２戸先扉パネル３３と共に、パネル閉じ状態Ｐ１に向けて回転される。第２コイルバネ９８は、第１押付け部材９７の回転に伴って、伸長状態から圧縮される。
これにより、各扉パネル１８，２０，３１，３３は、図１乃至図４に示すように、パネル開き状態Ｐ２からパネル閉じ状態Ｐ１にされ、出入口１７（乗降口）を閉塞する。
【０１２１】
＜第２実施形態＞
以下、第２実施形態の折畳み式扉装置について、図３６乃至図４６を参照して説明する。
なお、図３６乃至図４６において、図１乃至図３５と同一符号は、同一部材、同一構成であるので、その詳細な説明は省略する。
【０１２２】
＜折畳み式扉装置Ｚ１＞
第２実施形態の折畳み式装置Ｚ１（以下、「折畳み式扉装置Ｚ１」という）は、第１実施形態の折畳み式扉装置Ｚと同様、例えば、観覧車Ｘの乗籠Ｙ（ゴンドラ）に設置される。
折畳み式扉装置Ｚ１は、外側空間（ゴンドラ本体１の外側）、及び内側空間（乗客室２内）の間に配置され、開閉されて、外側空間及び内側空間を遮断又は連通する。
折畳み式扉装置Ｚ１は、図３６乃至図３８に示すように、扉支持枠体１０、案内部材１１、及び折畳み式扉装置Ｚ（第１実施形態）の第１及び第２折り戸１２，１３の一方、例えば、第１折り戸１２（折り戸１２）を備える。
折畳み式扉装置Ｚ１は、図３６乃至図４０に示すように、第１扉ロック手段４１（扉ロック手段４１）、第３扉ロック手段４３（補助扉ロック手段４３）、及び第１扉オープナー手段８１（扉オープナー手段８１）を備える。
【０１２３】
＜折り戸１２＞
折り戸１２は、図３６乃至図３８に示すように、扉支持枠体１０の内側（出入口１７）に配置される。
折り戸１２は、第１戸尻扉パネル１８（戸尻扉パネル１８）、複数の第１回転用ヒンジ１９（回転用ヒンジ１９）、第１戸先扉パネル２０（戸先扉パネル２０）、及び複数の第１折畳み用ヒンジ２１（折畳み用ヒンジ２１）を備える。
【０１２４】
＜戸尻扉パネル１８＞
戸尻扉パネル１８は、図３６乃至図３８に示すように、扉支持枠体１０の内側（出入口１７）に配置される。戸尻扉パネル１８は、上下方向ＵＤにおいて、上横枠材１４及び踏み板３（乗客室２の床４）の間にわたって延在される。戸尻扉パネル１８は、上下方向ＵＤにおいて、踏み板３（乗客室２の床４）に間隔（隙間）を隔てて配置される。
戸尻扉パネル１８は、図３８及び図４０に示すように、前後方向ＦＲにおいて、パネル保持部材１０Ａの前方（パネル保持部材１０Ａより外側）に位置して配置される。
戸尻扉パネル１８は、左右方向ＬＲにおいて、一方の側端部１８Ａ（左側端部／一方の戸尻側端部）を扉支持枠体１０の一方の縦枠材１５（左縦枠材）に隣接して配置される。
戸尻扉パネル１８は、左右方向ＬＲにおいて、一方の側端部１８Ａを扉支持枠体１０の一方の縦枠材１５に回転自在に連結して配置される。
【０１２５】
＜回転用ヒンジ１９＞
各回転用ヒンジ１９は、図３６乃至図４０に示すように、戸尻扉パネル１８の一方の側端部１８Ａを扉支持枠体１０の一方の縦枠材１５に回転自在に連結（支持）する（図１４及び図２３参照）。
【０１２６】
＜戸先扉パネル２０＞
戸先扉パネル２０は、図３６乃至図３８に示すように、扉支持枠体１０の内側（出入口１７）に配置される。戸先扉パネル２０は、左右方向ＬＲにおいて、戸尻扉パネル１８及び扉支持枠体１０の他方の縦枠材１６の間に位置して配置される。
戸先扉パネル２０は、上下方向ＵＤにおいて、上横枠材１４及び踏み板３（乗客室２の床４）の間にわたって延在される。戸先扉パネル２０は、上下方向ＵＤにおいて、踏み板３に間隔（隙間）を隔てて配置される。
戸先扉パネル２０は、図３８に示すように、前後方向ＦＲにおいて、パネル保持部材１０Ａの前方（パネル保持部材１０Ａより外側）に位置して配置される。
戸先扉パネル２０は、左右方向ＬＲにおいて、一方の側端部２０Ａ（左側端部／一方の戸先側端部）を戸尻扉パネル１８の他方の側端部１８Ｂ（右側端部／他方の戸尻側端部）に隣接して配置される。
戸先扉パネル２０は、左右方向ＬＲにおいて、一方の側端部１８Ａを戸尻扉パネル１８の他方の側端部１８Ｂに回転自在に連結して配置される。
【０１２７】
戸先扉パネル２０は、案内部材１１により案内される第１被案内部材２６（被案内部材２６）を有する。被案内部材２６は、案内軸２７及び案内ローラ２８で構成される（図２５乃至図２７参照）。
案内部材１１は、案内ローラ２８を案内して、戸先扉パネル２０の他方の側端部２０Ｂを左右方向ＬＲに案内する。
【０１２８】
＜折畳み用ヒンジ２１＞
折畳み用ヒンジ２１は、図３６乃至図３９に示すように、戸先扉パネル２０の一方の側端部２０Ａを、戸尻扉パネル１８の他方の側端部１８Ｂに回転自在に連結（支持）する（図２７参照）。
【０１２９】
各扉パネル１８，２０は、図３６乃至図３８に示すように、パネル閉じ状態Ｐ１（パネル閉じ位置）において、扉支持枠体１０の各縦枠材１５，１６の間に直線状に並列されて、出入口１７（乗降口）を閉塞する。
パネル閉じ状態Ｐ１において、各扉パネル１８，２０は、図３６乃至図３８に示すように、各表平面１８Ｘ，２０Ｘを前方（ゴンドラ本体１）に向け、及び同一平面に配置して並列され、出入口１７を閉塞する。
パネル閉じ状態Ｐ１において、各扉パネル１８，２０は、図３８及び図４０に示すように、各裏平面１８Ｙ，２０Ｙを、前後方向Ｆの前方（ゴンドラ本体１の側）からパネル保持部材１０Ａに当接して配置される。パネル保持部材１０Ａは、各扉パネル１８，２０（第１折り戸１２）をパネル閉じ状態Ｐ１に保持する。
パネル閉じ状態Ｐ１において、戸先扉パネル２０は、図３６乃至図３８に示すように、他方の側端部２０Ｂを扉支持枠体１０の他方の縦枠材１６に当接して配置される。
【０１３０】
＜扉ロック手段４１（扉ロック機構）＞
扉ロック手段４１は、図３６、図３７、図３９及び図４０に示すように、戸尻扉パネル１８及び戸先扉パネル２０（折り戸１２）をパネル閉じ状態Ｐ１にロック（固定）し、及びロック解除して戸尻扉パネル１８及び戸先扉パネル２０を回転自在にする。
扉ロック手段４１は、図３６、図３７、図３９及び図４０に示すように、折り戸１２において、戸尻扉パネル１８の他方の側端部１８Ｂに設置される。
扉ロック手段４１は、図３６、図３７、図３９及び図４０に示すように、第１下側ロック機構４４（下側ロック機構４４）、及び第１上側ロック機構４５（上側ロック機構４５）を有して構成される。
【０１３１】
下側ロック機構４４は、図３６及び図３９に示すように、戸尻扉パネル１８の他方の側端部１８Ｂ側（右側端部側）に配置される。
下側ロック機構４４は、図５乃至図８で説明したと同様、第１ロック穴４６（ロック穴４６）、第１ロック軸部材４８（ロック軸部材４８）、第１レバー案内部材４９（レバー案内部材４９）、及び第１ロック操作レバー５０（ロック操作レバー５０）を有して構成される。
【０１３２】
下側ロック機構４４は、図３６及び図３９に示すように、パネル閉じ状態Ｐ１において、ロック軸部材４８の下端部４８Ｂをロック穴４６に挿入して、戸尻扉パネル１８及び戸先扉パネル２０（折り戸１２）を回転不能にする（図８参照）。
これにより、下側ロック機構４４は、戸尻扉パネル及び戸先扉パネル２０（折り戸１２）をパネル閉じ状態Ｐ１にロック（固定）する。
下側ロック機構４４は、ロック操作レバー５０を上方に引上げて、ロック軸部材４８の下端部４８Ｂをロック穴４６から抜くことで、ロック解除する（図７及び図８参照）。
【０１３３】
上側ロック機構４５は、図３６、図３７、図３９及び図４０に示すように、戸尻扉パネル１８の他方の側端部１８Ｂ側（右側端部側）に配置される。上側ロック機構４５は、上下方向ＵＤにおいて、下側ロック機構４４及び戸尻扉パネル１８の上端部１８Ｃの間に配置される。
上側ロック機構４５は、図５乃至図７、及び図９で説明したと同様、第１固定穴５５（固定穴５５）、第１開閉軸部材５６（開閉軸部材５６）及び第１開閉操作レバー５７（開閉操作レバー５７）を有して構成される。
【０１３４】
上側ロック機構４５は、図３６、図３７、図３９及び図４０に示すように、パネル閉じ状態Ｐ１において、開閉軸部材５６の上端部５６Ａを固定穴５５に挿入して、戸尻扉パネル１８及び戸先扉パネル２０を回転不能にする。
これにより、上側ロック機構４５は、戸尻扉パネル１８及び戸先扉パネル２０をパネル閉じ状態Ｐ１にロック（固定）する。
上側ロック機構４５は、パネル閉じ状態Ｐ１において、開閉レバー部５７Ｂを握って回転して、開閉軸部材５６を下方に引下げることで、開閉軸部材５６の上端部５６Ｓを固定穴５５から抜く。
これにより、上側ロック機構４５は、ロック解除して戸尻扉パネル１８及び戸先扉パネル２０を回転自在にする。
【０１３５】
＜補助扉ロック手段４３（補助扉ロック機構）＞
補助扉ロック手段４３は、図３６、図４１及び図４２に示すように、各扉パネル１８，２０（折り戸１２）をパネル閉じ状態Ｐ１にロック（固定）し、及びロック解除して各扉パネル１８，２０（折り戸１２）を回転自在にする。
補助扉ロック手段４３は、戸先扉パネル２０の他方の側端部２０Ｂ及び扉支持枠体１０の他方の縦枠材１６に設置（配置）される。
補助扉ロック手段４３は、図１５及び図１６で説明したと同様、ロック操作平板７５、及び固定軸部材７６を有して構成される。
【０１３６】
ロック操作平板７５は、図３６、図４１及び図４２に示すように、ゴンドラ本体１の外側に配置される。ロック操作平板７５は、扉支持枠体１０の他方の縦枠材１６（右側縦枠材）に設置される。ロック操作平板７５は、長手方向の他方の板端部を縦枠材１６の表平面１６Ｘに回転自在に支持される。ロック操作平板７５の他方の板端部は、ロック回転軸部材７９にて回転自在として、他方の縦枠材１６に支持される。
【０１３７】
固定軸部材７６は、ゴンドラ本体１（乗籠Ｙ）の外側に配置される。固定軸部材７６は、軸中心線を前後方向ＦＲに向けて配置される。固定軸部材７６は、戸先扉パネル２０の他方の側端部２０Ｂ側（右側端部側）に固定される。固定軸部材７６は、左右方向ＬＲにおいて、ロック回転軸部材７９に間隔を隔てて平行配置される。
【０１３８】
補助扉ロック手段４３は、図４１及び図４２に示すように、ロック操作平板７５を回転し、固定軸材７６の上方に位置して、切欠穴溝７７に固定軸部材７６を挿入する。
これにより、補助扉ロック手段４３は、各扉パネル１８，２０（折り戸１２）をパネル閉じ状態Ｐ１にロック（固定）する。
補助扉ロック手段４３は、図４１に示すように、ロック操作平板７５を回転して、切欠穴溝７７から固定軸部材７６を抜き、及びロック操作平板７５を他方の縦枠材１６側に配置する。
これにより、補助扉ロック手段４３は、ロック解除して各扉パネル１８，２０（折り戸１２）を回転自在にする。
【０１３９】
＜扉オープナー手段８１＞
扉オープナー手段８１は、扉ロック手段４１及び補助扉ロック手段４３のロック解除に伴って、戸先扉パネル２０を回転する方向に押して、戸尻扉パネル１８及び戸先扉パネル２０（折り戸１２）をパネル閉じ状態Ｐ１から半開き状態Ｐ３にする（図４３及び図４４参照）。
扉オープナー手段８１は、図３６乃至図４０に示すように、各扉パネル１８，２０（ゴンドラ本体１）の外側に配置される。扉オープナー手段８１は、左右方向ＬＲにおいて、戸尻扉パネル１８及び戸先扉パネル２０の間にわたって配置される。扉オープナー手段８１は、上下方向ＵＤにおいて、戸尻扉パネル１８の上端部１８Ｃ側及び戸先扉パネル２０の上端部２０Ｃ側に配置される。扉オープナー手段８１は、戸尻扉パネル１８の他方の側端部１８Ｂ側に設置される。
扉オープナー手段８１は、図１７及び図１８で説明したと同様に、第１回転支持部材８３（回転支持部材８３）、第１押付け部材８４（押付け部材８４）、第１コイルバネ８５（コイルバネ８５）、及び第１回転軸部材８６（回転軸部材８６）を有する。
【０１４０】
回転支持部材８３は、図１９、図２１及び図２７で説明したと同様に、連結平板８７Ｃを戸尻扉パネル１８の他方の側端部１８Ｂ側（右側端部側）に固定して、戸尻扉パネル１８に設置（固定）される。
また、回転支持部材８３（バネ固定軸８８）は、パネル閉じ状態Ｐ１において、戸尻扉パネル１８の表平面１８Ｘに平行配置される。
【０１４１】
押付け部材８４は、図１９、図２１及び図２７で説明したと同様に、押え円板９３を戸先扉パネル２０の表平面２０Ｘに当接して配置される。押付け部材８４は、回転支持部材８３に外嵌して配置され、パネル空所ＳＱ内に回転支持部材８３を配置する。
また、押付け部材８４（バネ支持軸９２）は、パネル閉じ状態Ｐ１において、戸尻扉パネル１８の表平面１８Ｘ及び戸先扉パネル２０の表平面２０Ｘに平行配置される。
【０１４２】
コイルバネ８５は、図１７乃至図１９、及び図２１で説明したと同様に、パネル閉じ状態Ｐ１において、圧縮されて、戸尻扉パネル１８の表平面１８Ｘ及び戸先扉パネル２０の表平面２０Ｘに平行配置される。コイルバネ８５は、一方のバネ端部をバネ固定軸８８に連結（固定）し、及び他方のバネ端部をバネ支持軸９２に連結（固定）して、各バネ収納空所ＳＰ，ＳＱ内に配置される（図１７乃至図１９参照）。
【０１４３】
回転軸部材８６は、図１７乃至図１９、及び図２１で説明したと同様に、押付け部材８４を回転支持部材８３に回転自在に支持する。
【０１４４】
扉オープナー手段８１は、扉ロック手段４１及び補助扉ロック手段４３のロック解除に伴って、コイルバネ８５のバネ力（付勢力）にて押付け部材８４を戸先扉パネル２０に対して回転する。押付け部材８４は、コイルバネ８５のバネ力により、戸先扉パネル２０に向けて回転しつつ、戸先扉パネル２０を回転する方向に押す（図４３及び図４４参照）。
これにより、戸先扉パネル２０は、コイルバネ８５のバネ力により戸尻扉パネル１８の裏平面１８Ｙに向けて回転しつつ、扉支持枠体１０の一方の縦枠材１５側に移動される。戸尻扉パネル１８は、戸先扉パネル２０の回転及び移動と同時に、回転される。
このように、戸尻扉パネル１８及び戸先扉パネル２０は、扉オープナー手段８１（コイルバネ８５のバネ力）により、回転及び移動されて、パネル閉じ状態Ｐ１から半開き状態Ｐ３にされる。
【０１４５】
＜折り戸１２の開閉動作＞
次に、折畳み式扉装置Ｚ１の開閉動作について、図４３乃至図４６を参照して説明する。
なお、説明の便宜上、各扉パネル１８，２０（折り戸１２）は、パネル閉じ状態（図３６乃至図３８参照）であり、第１扉ロック手段４１及び補助扉ロック手段４３は、各扉パネル１８，２０をパネル閉じ状態Ｐ１にロック（固定）しているものとする。
【０１４６】
先ず、第１扉ロック手段４１、及び補助扉ロック手段４３を操作して、各扉パネル１８，２０のロックを解除する。
【０１４７】
第１扉ロック手段４１、及び補助扉ロック手段４３のロック解除に伴って、扉オープナー手段８１は、戸尻扉パネル１８及び戸先扉パネル２０（折り戸１２）をパネル閉じ状態Ｐ１から半開き状態Ｐ３にする。
【０１４８】
扉オープナー手段８１において、コイルバネ８５は、図４３及び図４４に示すように、バネ力にて押付け部材８４を回転支持部材８３に対して回転する。押付け部材８４は、コイルバネ８５のバネ力により、回転軸部材８６を中心として戸先扉パネル２０に向けて回転しつつ、戸先扉パネル２０を回転する方向に押す。押付け部材８４は、各押え円板９３を戸先扉パネル２０に押付ける。
このとき、押付け部材８４は、コイルバネ８５のバネ力にて戸先扉パネル２０を押しつつ、第１回転角度θ１（回転角度θ１）まで回転される［図３１（ａ）参照］。また、コイルバネ８５は、押付け部材８４の回転に伴って、伸長しつつ湾曲される。
これにより、戸先扉パネル２０は、コイルハバネ８５のバネ力により、各折畳み用ヒンジ２１を中心として戸尻扉パネル１８の裏平面１８Ｙに向けて回転しつつ、左右方向ＬＲに移動される。
戸尻扉パネル１８は、戸先扉パネル２０の回転及び移動と同時に、ゴンドラ本体１の外側であって、各回転用ヒンジ１９を中心として扉支持枠体１０の一方の縦枠材１５に向けて回転される。
【０１４９】
各扉パネル１８，２０（折り戸１２）を半開き状態Ｐ３にすると、開閉操作レバー５７（上側ロック機構４５）を握った状態で、開閉操作レバー５７を前後方向ＦＲの前方に引く（図４５及び図４６参照）。
これにより、戸先扉パネル２０は、図４５及び図４６に示すように、半開き状態Ｐ３から更に、戸尻扉パネル１８の裏平面１８Ｙ側に向けて回転しつつ、扉支持枠体１０の一方の縦枠材１５に移動される。
このとき、押付け部材８４は、押え円板９３を戸先扉パネル２０の表平面２０Ｘから離間して、コイルバネ８５にて回転角度θ１に保持される。
戸尻扉パネル１８は、戸先扉パネル２０の回転及び移動と同時に、半開き状態Ｐ３から更に、扉支持枠体１０の一方の縦枠材１５に向けて回転される。
戸尻扉パネル１８及び戸先扉パネル２０（折り戸１２）は、図４５及び図４６に示すように、左右方向ＬＲにおいて、相互に重なって折畳まれてパネル開き状態Ｐ２（パネル全開き状態Ｐ２）になる。各扉パネル１８，２０は、パネル開き状態Ｐ２（パネル全開き状態Ｐ２）において、相互に重なって折畳まれて、出入口１７（乗降口）を開口する。各扉パネル１８，２０は、パネル開き状態Ｐ２において、相互に重なって折畳まれて、扉支持枠体１０の一方の縦枠材１５に隣接して配置される。
【０１５０】
各扉パネル１８，２０のパネル開き状態Ｐ２（パネル全開き状態Ｐ２）において、開閉操作レバー５７を握って、開閉操作レバー５７を前後方向ＦＲの後方（出入口１７側）に押す。
戸先扉パネル２０は、戸尻扉パネル１８の裏平面１８Ｙから離間する方向に回転しつつ、扉支持枠体１０の他方の縦枠材１６に向けて移動される。戸尻扉パネル１８は、戸先扉パネル２０の回転及び移動と同時に、出入口１７に向けて回転される。
このとき、戸先扉パネル２０は、パネル閉じ状態Ｐ１に向けて回転途中において、押付け部材８４の各押え円板９３に当接して、押付け部材８４を回転しつつ、コイルバネ８５を伸長状態から圧縮する。扉オープナー手段８１において、押付け部材８４は、各押え円板９３を戸先扉パネル２０の表平面２０Ｘに当接して、戸先扉パネル２０と共に、パネル閉じ状態Ｐ１に向けて回転される。コイルバネ８５は、押付け部材８４の回転に伴って、伸長状態から圧縮される。
これにより、各扉パネル１８，２０は、図３６乃至図３８に示すように、パネル開き状態Ｐ２（パネル全開き状態Ｐ２）かパネル閉じ状態Ｐ１にされ、出入口１７（乗降口）を閉塞する。
【０１５１】
第１及び第２実施形態の折畳み式扉装置Ｚ，Ｚ１は、観覧車Ｘの乗籠Ｙ（ゴンドラ）に適用した例について説明したが、これに限定されるものでない。
【産業上の利用可能性】
【０１５２】
本発明は、折畳み式の扉装置に最適である。
【符号の説明】
【０１５３】
Ｚ  折畳み式扉装置
１０  扉支持枠体
１１  案内部材（案内レール）
１２  第１折り戸
１３  第２折り戸
１４  上横枠材
１５  縦枠材
１６  縦枠材
１７  出入口（乗降口）
１８  第１戸尻扉パネル
１８Ａ  一方の側端部
１８Ｂ  他方の側端部
２０  第１戸先扉パネル
２０Ａ  一方の側端部
２０Ｂ  他方の側端部
２６  第１被案内部材
３１  第２戸尻扉パネル
３１Ａ  一方の側端部
３１Ｂ  他方の側端部
３３  第２戸先扉パネル
３３Ａ  一方の側端部
３３Ｂ  他方の側端部
４１  第１扉ロック手段
４２  第２扉ロック手段
８１  第１扉オープナー手段
８２  第２扉オープナー手段
Ｐ１  パネル閉じ状態
Ｐ２  パネル開き状態（パネル全開き状態）
Ｐ３  半開き状態
【図１】
2018204323.tif 000003
【図２】
2018204323.tif 000004
【図３】
2018204323.tif 000005
【図４】
2018204323.tif 000006
【図５】
2018204323.tif 000007
【図６】
2018204323.tif 000008
【図７】
2018204323.tif 000009
【図８】
2018204323.tif 000010
【図９】
2018204323.tif 000011
【図１０】
2018204323.tif 000012
【図１１】
2018204323.tif 000013
【図１２】
2018204323.tif 000014
【図１３】
2018204323.tif 000015
【図１４】
2018204323.tif 000016
【図１５】
2018204323.tif 000017
【図１６】
2018204323.tif 000018
【図１７】
2018204323.tif 000019
【図１８】
2018204323.tif 000020
【図１９】
2018204323.tif 000021
【図２０】
2018204323.tif 000022
【図２１】
2018204323.tif 000023
【図２２】
2018204323.tif 000024
【図２３】
2018204323.tif 000025
【図２４】
2018204323.tif 000026
【図２５】
2018204323.tif 000027
【図２６】
2018204323.tif 000028
【図２７】
2018204323.tif 000029
【図２８】
2018204323.tif 000030
【図２９】
2018204323.tif 000031
【図３０】
2018204323.tif 000032
【図３１】
2018204323.tif 000033
【図３２】
2018204323.tif 000034
【図３３】
2018204323.tif 000035
【図３４】
2018204323.tif 000036
【図３５】
2018204323.tif 000037
【図３６】
2018204323.tif 000038
【図３７】
2018204323.tif 000039
【図３８】
2018204323.tif 000040
【図３９】
2018204323.tif 000041
【図４０】
2018204323.tif 000042
【図４１】
2018204323.tif 000043
【図４２】
2018204323.tif 000044
【図４３】
2018204323.tif 000045
【図４４】
2018204323.tif 000046
【図４５】
2018204323.tif 000047
【図４６】
2018204323.tif 000048
【手続補正書】
【提出日】平成30年10月17日(2018.10.17)
【手続補正１】
【補正対象書類名】特許請求の範囲
【補正対象項目名】全文
【補正方法】変更
【補正の内容】
【特許請求の範囲】
【請求項１】
上横枠材及び左右一対の縦枠材を有し、前記上横枠材及び前記各縦枠材とで出入口を形成する扉支持枠体と、
前記上横枠材に設置され、前記上横枠材に沿って延在する案内部材と、
前記扉支持枠体の内側に配置され、一方の側端部を前記扉支持枠体の一方の縦枠材に回転自在に連結して配置される第１戸尻扉パネルと、
前記第１戸尻扉パネル及び前記扉支持枠体の他方の縦枠材の間に位置して、一方の側端部を前記第１戸尻扉パネルの他方の側端部に回転自在に連結して配置され、前記案内部材により案内される第１被案内部材を有する第１戸先扉パネルと、
前記第１戸先扉パネル及び前記扉支持枠体の他方の縦枠材の間に位置して、一方の側端部を前記扉支持枠体の他方の縦枠材に回転自在に連結して配置される第２戸尻扉パネルと、
前記第１戸先扉パネル及び前記第２戸尻扉パネルの間に位置して、一方の側端部を前記第２戸尻扉パネルの他方の側端部に回転自在に連結して配置され、前記案内部材により案内される第２被案内部材を有する第２戸先扉パネルと、を備え、前記各扉パネルは、パネル閉じ状態において、前記各縦枠材の間に直線状に並列されて、前記出入口を閉塞する折畳み式扉装置であって、
前記第１戸尻扉パネル及び前記第１戸先扉パネルをパネル閉じ状態にロックし、及びロック解除して前記第１戸尻扉パネル及び前記第１戸先扉パネルを回転自在にする第１扉ロック手段と、
前記第２戸尻扉パネル及び前記第２戸先扉パネルをパネル閉じ状態にロックし、及びロック解除して前記第２戸尻扉パネル及び前記第２戸先扉パネルを回転自在にする第２扉ロック手段と、
前記第１戸尻扉パネルに設置され、前記第１扉ロック手段のロック解除に伴って、前記第１戸先扉パネルを回転する方向に押して、前記第１戸尻扉パネル及び前記第１戸先扉パネルをパネル閉じ状態から半開き状態にする第１扉オープナー手段と、
前記第２戸尻扉パネルに設置され、前記第２扉ロック手段のロック解除に伴って、前記第２戸先扉パネルを回転する方向に押して、前記第２戸尻扉パネル及び前記第２戸先扉パネルをパネル閉じ状態から半開き状態にする第２扉オープナー手段と、
を備え、
前記第１扉オープナー手段は、
前記第１戸尻扉パネルの表平面に平行配置され、及び前記第１戸尻扉パネルに固定される第１回転支持部材と、
前記パネル閉じ状態において、前記第１戸先扉パネルの表平面に平行配置され、及び前記第１戸先扉パネルの表平面に当接される第１押付け部材と、
前記パネル閉じ状態において、圧縮されて、前記第１戸尻扉パネルの表平面及び前記第１戸先扉パネルの表平面に平行配置される第１コイルバネと、
前記第１戸尻扉パネル及び前記第１コイルバネの間に配置され、前記各扉パネルの回転中心線と同一方向に延在され、及び前記第１押付け部材を前記第１回転支持部材に回転自在に支持する第１回転軸部材と、を有し、
前記第１コイルバネは、
前記第１回転支持部材及び前記第１押付け部材の間にわたって配置され、
一方のバネ端部を前記第１回転支持部材に連結し、及び他方のバネ端部を前記第１押付け部材に連結し、
前記第２扉オープナー手段は、
前記第２戸尻扉パネルの表平面に平行配置され、及び前記第２戸尻扉パネルに固定される第２回転支持部材と、
前記パネル閉じ状態において、前記第２戸先扉パネルの表平面に平行配置され、及び前記第２戸先扉パネルの表平面に当接される第２押付け部材と、
前記パネル閉じ状態において、圧縮されて、前記第２戸尻扉パネルの表平面及び前記第２戸先扉パネルの表平面に平行配置される第２コイルバネと、
前記第２戸尻扉パネル及び前記第２コイルバネの間に配置され、前記各扉パネルの回転中心線と同一方向に延在され、及び前記第２押付け部材を前記第２回転支持部材に回転自在に支持する第２回転軸部材と、を有し、
前記第２コイルバネは、
前記第２回転支持部材及び前記第２押付け部材の間にわたって配置され、
一方のバネ端部を前記第２回転支持部材に連結し、及び他方のバネ端部を前記第２押付け部材に連結する
ことを特徴とする折畳み式扉装置。
【請求項２】
前記上横枠材に設置され、前記各縦枠材の間にて循環される環状部材を有する循環手段と、
前記第１戸先扉パネル及び前記環状部材を連結する第１連結手段と、
前記第２戸先扉パネル及び前記環状部材を連結する第２連結手段と、
を備え、
前記循環手段は、
前記案内部材に平行する上下の循環経路を経て、前記環状部材を循環し、
前記第１連結手段は、
一方の循環経路にて、前記環状部材に固定され、及び前記第１被案内部材に取付けられ、
前記第２連結手段は、
他方の循環経路にて、前記環状部材に固定され、及び前記第２被案内部材に取付けられる
ことを特徴とする請求項１に記載の折畳み式扉装置。
【請求項３】
上横枠材及び左右一対の縦枠材を有し、前記上横枠材及び前記各縦枠材とで出入口を形成する扉支持枠体と、
前記上横枠材に設置され、前記上横枠材に沿って延在する案内部材と、
前記扉支持枠体の内側に配置され、一方の側端部を前記扉支持枠体の一方の縦枠材に回転自在に連結して配置される戸尻扉パネルと、
前記戸尻扉パネル及び前記扉支持枠体の他方の縦枠材の間に位置して、一方の側端部を前記戸尻扉パネルの他方の側端部に回転自在に連結して配置され、前記案内部材により案内される被案内部材を有する戸先扉パネルと、を備え、前記各扉パネルは、パネル閉じ状態において、前記各縦枠材の間に直線状に並列されて、前記出入口を閉塞する折畳み式扉装置であって、
前記各扉パネルを前記パネル閉じ状態にロックし、及びロック解除して前記各扉パネルを回転自在にする扉ロック手段と、
前記戸尻扉パネルに設置され、前記扉ロック手段のロック解除に伴って、前記戸先扉パネルを回転する方向に押して、前記戸尻扉パネル及び前記戸先扉パネルをパネル閉じ状態から半開き状態にする扉オープナー手段と、
を備え、
前記扉オープナー手段は、
前記戸尻扉パネルの表平面に平行配置され、及び前記戸尻扉パネルに固定される回転支持部材と、
前記パネル閉じ状態において、前記戸先扉パネルの表平面に平行配置され、及び前記戸先扉パネルの表平面に当接される押付け部材と、
前記パネル閉じ状態において、圧縮されて、前記戸尻扉パネルの表平面及び前記戸先扉パネルの表平面に平行配置されるコイルバネと、
前記戸尻扉パネル及び前記コイルバネの間に配置され、前記各扉パネルの回転中心線と同一方向に延在され、及び前記押付け部材を前記回転支持部材に回転自在に支持する回転軸部材と、を有し、
前記コイルバネは、
前記回転支持部材及び前記押付け部材の間にわたって配置され、
一方のバネ端部を前記回転支持部材に連結し、及び他方のバネ端部を前記押付け部材に連結する
ことを特徴とする折畳み式扉装置。
【手続補正２】
【補正対象書類名】明細書
【補正対象項目名】０００６
【補正方法】変更
【補正の内容】
【０００６】
本発明に係る請求項１は、上横枠材及び左右一対の縦枠材を有し、前記上横枠材及び前記各縦枠材とで出入口を形成する扉支持枠体と、前記上横枠材に設置され、前記上横枠材に沿って延在する案内部材と、前記扉支持枠体の内側に配置され、一方の側端部を前記扉支持枠体の一方の縦枠材に回転自在に連結して配置される第１戸尻扉パネルと、前記第１戸尻扉パネル及び前記扉支持枠体の他方の縦枠材の間に位置して、一方の側端部を前記第１戸尻扉パネルの他方の側端部に回転自在に連結して配置され、前記案内部材により案内される第１被案内部材を有する第１戸先扉パネルと、前記第１戸先扉パネル及び前記扉支持枠体の他方の縦枠材の間に位置して、一方の側端部を前記扉支持枠体の他方の縦枠材に回転自在に連結して配置される第２戸尻扉パネルと、前記第１戸先扉パネル及び前記第２戸尻扉パネルの間に位置して、一方の側端部を前記第２戸尻扉パネルの他方の側端部に回転自在に連結して配置され、前記案内部材により案内される第２被案内部材を有する第２戸先扉パネルと、を備え、前記各扉パネルは、パネル閉じ状態において、前記各縦枠材の間に直線状に並列されて、前記出入口を閉塞する折畳み式扉装置であって、前記第１戸尻扉パネル及び前記第１戸先扉パネルをパネル閉じ状態にロックし、及びロック解除して前記第１戸尻扉パネル及び前記第１戸先扉パネルを回転自在にする第１扉ロック手段と、前記第２戸尻扉パネル及び前記第２戸先扉パネルをパネル閉じ状態にロックし、及びロック解除して前記第２戸尻扉パネル及び前記第２戸先扉パネルを回転自在にする第２扉ロック手段と、前記第１戸尻扉パネルに設置され、前記第１扉ロック手段のロック解除に伴って、前記第１戸先扉パネルを回転する方向に押して、前記第１戸尻扉パネル及び前記第１戸先扉パネルをパネル閉じ状態から半開き状態にする第１扉オープナー手段と、前記第２戸尻扉パネルに設置され、前記第２扉ロック手段のロック解除に伴って、前記第２戸先扉パネルを回転する方向に押して、前記第２戸尻扉パネル及び前記第２戸先扉パネルをパネル閉じ状態から半開き状態にする第２扉オープナー手段と、を備え、前記第１扉オープナー手段は、
前記第１戸尻扉パネルの表平面に平行配置され、及び前記第１戸尻扉パネルに固定される第１回転支持部材と、前記パネル閉じ状態において、前記第１戸先扉パネルの表平面に平行配置され、及び前記第１戸先扉パネルの表平面に当接される第１押付け部材と、前記パネル閉じ状態において、圧縮されて、前記第１戸尻扉パネルの表平面及び前記第１戸先扉パネルの表平面に平行配置される第１コイルバネと、前記第１戸尻扉パネル及び前記第１コイルバネの間に配置され、前記各扉パネルの回転中心線と同一方向に延在され、及び前記第１押付け部材を前記第１回転支持部材に回転自在に支持する第１回転軸部材と、を有し、前記第１コイルバネは、前記第１回転支持部材及び前記第１押付け部材の間にわたって配置され、一方のバネ端部を前記第１回転支持部材に連結し、及び他方のバネ端部を前記第１押付け部材に連結し、前記第２扉オープナー手段は、前記第２戸尻扉パネルの表平面に平行配置され、及び前記第２戸尻扉パネルに固定される第２回転支持部材と、前記パネル閉じ状態において、前記第２戸先扉パネルの表平面に平行配置され、及び前記第２戸先扉パネルの表平面に当接される第２押付け部材と、前記パネル閉じ状態において、圧縮されて、前記第２戸尻扉パネルの表平面及び前記第２戸先扉パネルの表平面に平行配置される第２コイルバネと、前記第２戸尻扉パネル及び前記第２コイルバネの間に配置され、前記各扉パネルの回転中心線と同一方向に延在され、及び前記第２押付け部材を前記第２回転支持部材に回転自在に支持する第２回転軸部材と、を有し、前記第２コイルバネは、前記第２回転支持部材及び前記第２押付け部材の間にわたって配置され、一方のバネ端部を前記第２回転支持部材に連結し、及び他方のバネ端部を前記第２押付け部材に連結することを特徴とする折畳み式扉装置である。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
本発明に係る請求項３は、上横枠材及び左右一対の縦枠材を有し、前記上横枠材及び前記各縦枠材とで出入口を形成する扉支持枠体と、前記上横枠材に設置され、前記上横枠材に沿って延在する案内部材と、前記扉支持枠体の内側に配置され、一方の側端部を前記扉支持枠体の一方の縦枠材に回転自在に連結して配置される戸尻扉パネルと、前記戸尻扉パネル及び前記扉支持枠体の他方の縦枠材の間に位置して、一方の側端部を前記戸尻扉パネルの他方の側端部に回転自在に連結して配置され、前記案内部材により案内される被案内部材を有する戸先扉パネルと、を備え、前記各扉パネルは、パネル閉じ状態において、前記各縦枠材の間に直線状に並列されて、前記出入口を閉塞する折畳み式扉装置であって、前記各扉パネルを前記パネル閉じ状態にロックし、及びロック解除して前記各扉パネルを回転自在にする扉ロック手段と、前記戸尻扉パネルに設置され、前記扉ロック手段のロック解除に伴って、前記戸先扉パネルを回転する方向に押して、前記戸尻扉パネル及び前記戸先扉パネルをパネル閉じ状態から半開き状態にする扉オープナー手段と、を備え、前記扉オープナー手段は、前記戸尻扉パネルの表平面に平行配置され、及び前記戸尻扉パネルに固定される回転支持部材と、前記パネル閉じ状態において、前記戸先扉パネルの表平面に平行配置され、及び前記戸先扉パネルの表平面に当接される押付け部材と、前記パネル閉じ状態において、圧縮されて、前記戸尻扉パネルの表平面及び前記戸先扉パネルの表平面に平行配置されるコイルバネと、前記戸尻扉パネル及び前記コイルバネの間に配置され、前記各扉パネルの回転中心線と同一方向に延在され、及び前記押付け部材を前記回転支持部材に回転自在に支持する回転軸部材と、を有し、前記コイルバネは、前記回転支持部材及び前記押付け部材の間にわたって配置され、一方のバネ端部を前記回転支持部材に連結し、及び他方のバネ端部を前記押付け部材に連結することを特徴とする折畳み式扉装置である。
【手続補正５】
【補正対象書類名】明細書
【補正対象項目名】００１０
【補正方法】削除
【補正の内容】
【手続補正６】
【補正対象書類名】明細書
【補正対象項目名】００１３
【補正方法】変更
【補正の内容】
【００１３】
本発明に係る請求項１によれば、第１扉オープナー手段は、第１扉ロック手段のロック解除に伴って、第１コイルバネのバネ力にて第１押付け部材を第１回転支持部材に対して回転する。第１押付け部材は、第１コイルバネのバネ力により第１戸先扉パネルに向けて回転しつつ、第１戸先扉パネルを回転する方向に押す。これにより、第１戸尻扉パネル及び第１戸先扉パネルは、第１扉オープナー手段（第１コイルバネのバネ力）により、回転及び移動されて、パネル閉じ状態から半開き状態にされる。
第２扉オープナー手段は、第２扉ロック手段のロック解除に伴って、第２コイルバネのバネ力にて第２押付け部材を第２回転支持部材に対して回転する。第２押え部材は、第２コイルバネのバネ力により第２戸先扉パネルに向けて回転しつつ、第２戸先扉パネルを回転する方向に押す。これにより、第２戸尻扉パネル及び第２戸先扉パネルは、第２扉オープナー手段（第２コイルバネのバネ力）により、回転及び移動されて、パネル閉じ状態から半開き状態にされる。
【手続補正７】
【補正対象書類名】明細書
【補正対象項目名】００１４
【補正方法】変更
【補正の内容】
【００１４】
本発明に係る請求項３によれば、扉オープナー手段は、扉ロック手段のロック解除に伴って、戸先扉パネルを回転する方向に押して、戸尻扉パネル及び戸先扉パネルをパネル閉じ状態から半開き状態にする。
これにより、各扉パネルを短時間で、迅速に、パネル閉じ状態からパネル開き状態（パネル全開き状態）にできる。
【手続補正８】
【補正対象書類名】明細書
【補正対象項目名】００１５
【補正方法】変更
【補正の内容】
【００１５】
本発明に係る請求項３によれば、扉オープナー手段は、扉ロック手段のロック解除に伴って、コイルバネのバネ力にて押付け部材を回転支持部材に対して回転する。押え部材は、コイルバネのバネ力により戸先扉パネルに向けて回転しつつ、戸先扉パネルを回転する方向に押す。これにより、戸尻扉パネル及び戸先扉パネルは、扉オープナー手段（コイルバネのバネ力）により、回転及び移動されて、パネル閉じ状態から半開き状態にされる。